(57)【要約】      （修正有）【課題】太陽光制御コーティングの太陽光制御特性を改善する。【解決手段】太陽光制御コーティング３０は、第１位相調整層４０；第１金属機能層４６；第２位相調整層５０；第２金属機能層５８；第３位相調整層６２；第３金属機能層７０；第４位相調整層８６；及び任意に、保護層９２を含む。金属機能層４６、５８、７０の少なくとも１つは、（ｉ）少なくとも１つの赤外線反射フィルムと、（ｉｉ）少なくとも１つの吸収フィルムと、を含む金属機能マルチフィルム層を含む。【選択図】図１
2020126267.tif 000002
【特許請求の範囲】
【請求項１】
太陽光制御コーティング３０であって、
複数の位相調整層４０、５０、６２、８６；及び
複数の金属機能層４６、５８、７０を備え、
少なくとも１つの金属機能層４６、５８、７０が、（ｉ）少なくとも１つの赤外線反射フィルムと、（ｉｉ）銅を含む少なくとも１つの吸収フィルムと、を含む金属機能マルチフィルム層を含む、
上記太陽光制御コーティング３０。
【請求項２】
赤外線反射フィルムを含む第１金属機能層４６；
赤外線反射フィルム５７を含む第２金属機能層５８；及び
（ｉ）少なくとも１つの赤外線反射フィルム７３と、（ｉｉ）銅を含む少なくとも１つの吸収フィルム７１と、を含む金属機能マルチフィルム層を含む第３金属機能層７０を備える、請求項１に記載の太陽光制御コーティング３０。
【請求項３】
第１金属機能層４６が、連続金属フィルム、好ましくは銀、を含む、請求項２に記載の太陽光制御コーティング３０。
【請求項４】
第２金属機能層５８の赤外線反射フィルム５７が、連続金属フィルム、好ましくは銀、を含む、請求項２又は３に記載の太陽光制御コーティング３０。
【請求項５】
第２金属機能層５８が、（ｉ）赤外線反射フィルム５７と、（ｉｉ）好ましくはニッケル及びクロムの合金を含む少なくとも１つの吸収フィルム５９と、を含む金属機能マルチフィルム層を含む、請求項２〜４のいずれか一項に記載の太陽光制御コーティング３０。
【請求項６】
第２金属機能層５８の吸収フィルム５９が、第２金属機能層５８の赤外線反射フィルム５７の上に位置する、請求項５に記載の太陽光制御コーティング３０。
【請求項７】
第３金属機能層７０の少なくとも１つの赤外線反射フィルム７３が、連続金属フィルム、好ましくは銀、を含む、請求項２〜６のいずれか一項に記載の太陽光制御コーティング３０。
【請求項８】
第３金属機能層７０の少なくとも１つの赤外線反射フィルム７３が、第３金属機能層７０の少なくとも１つの吸収フィルム７１の上に位置する、請求項２〜７のいずれか一項に記載の太陽光制御コーティング３０。
【請求項９】
請求項２〜８のいずれか一項に記載の太陽光制御コーティング３０であって、
４０ｎｍから１００ｎｍの範囲の光学的厚さを有する第１位相調整層４０であり、第１金属機能層４６が第１位相調整層４０上に位置する、第１位相調整層４０；
８０ｎｍから２００ｎｍの範囲の光学的厚さを有する第２位相調整層５０であり、第２金属機能層５８が第２位相調整層５０上に位置する、第２位相調整層５０；
９０ｎｍから２００ｎｍの範囲の光学的厚さを有する第３位相調整層６２であり、第３金属機能層７０が第３位相調整層６２上に位置する、第３位相調整層６２；
３０ｎｍから１００ｎｍの範囲の光学的厚さを有し、第３金属機能層７０上に位置する、第４位相調整層８６；及び
１ｎｍから３０ｎｍの範囲の光学的厚さを有し、第４位相調整層８６上に位置する、保護層９２；
を備える、上記太陽光制御コーティング３０。
【請求項１０】
太陽光制御コーティング３０であって、
４０ｎｍから１００ｎｍの範囲の光学的厚さ、好ましくは５０ｎｍから９０ｎｍの範囲の光学的厚さを有する、第１位相調整層４０；
第１位相調整層４０上に位置する第１金属機能層４６であり、連続金属フィルム、好ましくは銀、を含む、第１金属機能層４６；
第１金属機能層４６上に位置する第１プライマー層４８；
第１プライマー層４８上に位置する第２位相調整層５０であり、８０ｎｍから２００ｎｍの範囲の光学的厚さ、好ましくは１００ｎｍから１６０ｎｍの範囲の光学的厚さを有する、第２位相調整層５０；
第２位相調整層５０上に位置する第２金属機能層５８であり、
（ｉ）赤外線反射フィルム５７と、（ｉｉ）ニッケル及びクロムの合金を含む少なくとも１つの吸収フィルム５９と、を含む金属機能マルチフィルム層を含む、第２金属機能層５８；
第２金属機能層５８上に位置する第２プライマー層６０；
第２プライマー層６０上に位置する第３位相調整層６２であり、９０ｎｍから２００ｎｍの範囲の光学的厚さ、好ましくは１２０ｎｍから１８０ｎｍの範囲の光学的厚さを有する、第３位相調整層６２；
第３位相調整層６２上に位置する第３金属機能層７０であり、
（ｉ）少なくとも１つの赤外線反射フィルム７３と、（ｉｉ）銅を含む少なくとも１つの吸収フィルム７１と、を含む金属機能マルチフィルム層を含む、第３金属機能層７０；
第３金属機能層７０上に位置する第３プライマー層７２；
第３プライマー層７２上に位置する第４位相調整層８６であり、３０ｎｍから１００ｎｍの範囲の光学的厚さ、好ましくは４０ｎｍから８０ｎｍの範囲の光学的厚さを有する、第４位相調整層８６；及び
第４位相調整層８６上に位置する保護層９２であり、１ｎｍから３０ｎｍの範囲の光学的厚さ、好ましくは２ｎｍから２０ｎｍの範囲の光学的厚さを有する、保護層９２；
を備える、請求項１に記載の太陽光制御コーティング３０。
【請求項１１】
太陽光制御コーティング３０が、０．２から０．３の範囲、好ましくは０．２から０．２５の範囲の３ｍｍ基準ＩＧＵ  ＳＨＧＣを提供する、請求項１〜１０のいずれか一項に記載の太陽光制御コーティング３０。
【請求項１２】
太陽光制御コーティング３０が、１．６から２．５の範囲、好ましくは２．１から２．４の範囲の３ｍｍ基準ＩＧＵ  ＬＳＧ比を提供する、請求項１〜１１のいずれか一項に記載の太陽光制御コーティング３０。
【請求項１３】
請求項１〜１２のいずれか一項に記載のコーティング３０を含む、断熱ガラスユニット（ＩＧＵ）１００。
【発明の詳細な説明】
【技術分野】
【０００１】
（関連出願への相互参照）
本出願は、米国仮特許出願第６２／２１２，６６５号（２０１５年９月１日に出願）及び第６２／３１１，４４０号（２０１６年３月２２日に出願）に対する優先権を主張するものであり、これらの両方はその全体が参照により本明細書に組み込まれる。
【０００２】
本発明は、概して、少なくとも１つの赤外線反射フィルムと少なくとも１つの吸収フィルムとを含む１つ以上の金属機能マルチフィルム層を含む、太陽光制御コーティングに関する。
【背景技術】
【０００３】
（技術的検討）
太陽光制御コーティングは、電磁放射線の選択された範囲、典型的には、電磁スペクトルの赤外領域及び／又は紫外領域の放射線を遮断又はフィルタリングする。これらの太陽光制御コーティングは、建物に入る太陽エネルギーの選択された範囲の量を減らすために、窓などの透明体の上に置かれる。これにより、建物内の熱蓄積が減少する。
【０００４】
太陽熱利得係数（ＳＨＧＣ）は、コーティングがどの程度太陽熱を遮るかの尺度である。ＳＨＧＣが低いほど、より多くの太陽熱が遮られ、すなわち、建物内の太陽熱の蓄積が少ない。
【０００５】
光−太陽光利得（ｌｉｇｈｔ  ｔｏ  ｓｏｌａｒ  ｇａｉｎ：ＬＳＧ）比は、可視光の透過率をＳＨＧＣで割った比である。
【０００６】
全体的な熱伝達係数（Ｕ  ｆａｃｔｏｒ：Ｕ値）は、例えば窓を通過する際の熱損失の尺度である。Ｕ値が低いほど、窓を通過する際の熱伝達がより低くなり、すなわち窓の断熱レベルが高くなる。
【０００７】
太陽光制御コーティングは良好な太陽光遮光特性を提供するが、これらのコーティングの太陽光制御特性を改善することは有用であろう。例えば、ＳＨＧＣを減少させること、及び／又は光−太陽光利得（ＬＳＧ）比を増加させることが有用であろう。
【０００８】
ＳＨＧＣを減少させるためには、赤外線反射金属層の厚さを増加させる手段を採り得た。しかし、このようにすると、太陽光制御コーティングは、可視光を、より反射することにもなる。消費者にとっては、可視光透過率は高いが、（内側及び外側の両方の可視光反射率について）可視光反射率は低い透明体が好ましい。さらに、赤外線反射金属層の厚さを増加させることにより、太陽光制御コーティングの、コーティングを構成するフィルムの厚さのランダム又はシステマティックな変動に対する感度が増加する。これは、コーティングの性能又はコーティングの審美性に、変化を与えるか、あるいは悪影響を与える可能性がある。加えて、赤外線反射金属層の厚さを増加させると、化学的及び／又は機械的アタックに対するコーティングの耐久性が低下する傾向がある。さらに、１つ以上の周期の誘電体／銀／誘電体構造を用いる従来の太陽光制御コーティングを使用して到達することができる、最も広く魅力的である、美的／色空間のアクセス可能な領域は、従来の太陽光制御コーティングの設計によって制約される。
【０００９】
したがって、強化された太陽光制御及び／又は審美的性能を提供する太陽光制御コーティングを提供することが望ましい。例えば、建物の内部に熱が蓄積するのを防ぐために、低い太陽熱利得係数（ＳＨＧＣ）を有する太陽光制御コーティングを提供することが望ましい。例えば、高い光−太陽光利得比（ＬＳＧ）を有する太陽光制御コーティングを提供することが望ましい。高いＬＳＧは、良好な太陽熱遮断を示し、一方で可視光がコーティングを通過することを許容する。これにより、建物内部の自然採光が改善される。例えば、商業的に望ましい審美性及び／又はより広い利用可能な色空間を有する太陽光制御コーティングを提供することが望ましい。例えば、上記利点の１つ以上を有する非熱処理（ｎｏｎ−ｈｅａｔ−ｔｒｅａｔｅｄ）太陽光制御コーティングを提供することが望ましい。
【発明の概要】
【００１０】
太陽光制御コーティングは、複数の位相調整層及び複数の金属機能層を含む。金属機能層の少なくとも１つは、（ｉ）少なくとも１つの赤外線反射フィルムと、（ｉｉ）銅を含む少なくとも１つの吸収フィルムと、を含む金属機能マルチフィルム層を含む。
【００１１】
太陽光制御コーティングは、６４％以下の視感透過率（Ｔ）、０．２９以下の太陽熱利得係数（ＳＨＧＣ）、及び少なくとも１．６４の光−太陽光利得（ｌｉｇｈｔ  ｔｏ  ｓｏｌａｒ  ｇａｉｎ：ＬＳＧ）の比の、３ｍｍ基準断熱ガラスユニット（３ｍｍ基準ＩＧＵ）値を提供する。
【００１２】
太陽光制御コーティングは、６４％以下の視感透過率（Ｔ）、０．２９以下の太陽熱利得係数（ＳＨＧＣ）、及び少なくとも１．８５の光−太陽光利得（ｌｉｇｈｔ  ｔｏ  ｓｏｌａｒ  ｇａｉｎ：ＬＳＧ）の比の、６ｍｍ基準断熱ガラスユニット（６ｍｍ基準ＩＧＵ）値を提供する。
【００１３】
コーティングされた物品は、コーティングされた物品は、第１主面と対向する第２主面とを有する第１プライを含む。太陽光制御コーティングは、第１プライの主面の少なくとも1つの上に配置される。太陽光制御コーティングは、複数の位相調整層及び複数の金属機能層を含む。金属機能層の少なくとも１つは、（ｉ）少なくとも１つの赤外線反射フィルムと、（ｉｉ）銅を含む少なくとも１つの吸収フィルムと、を含む金属機能マルチフィルム層を含む。
【００１４】
太陽光制御コーティングは、非熱処理太陽光制御コーティングであってもよい。
【００１５】
本発明は、以下の図面を参照して説明され、同様の参照番号は、全体を通じて同様の部分を示す。
【図面の簡単な説明】
【００１６】
【図１】本発明の太陽光制御コーティングを有する、コーティングされた物品の側面図（縮尺通りではない）である。
【００１７】
【図２】本発明の例示的な太陽光制御コーティングの多層構造を示す、図１のコーティングされた物品の側面図（縮尺通りではない）である。
【００１８】
【図３】断熱ガラスユニット（ＩＧＵ）に組み込まれる、図１又は図２の太陽光制御コーティングの側面図（縮尺通りではない）である。
【００１９】
【図４】積層ユニットに組み込まれる、図１又は図２の太陽光制御コーティングの側面図（縮尺通りではない）である。
【発明を実施するための形態】
【００２０】
「左」、「右」、「内側（ｉｎｎｅｒ）」、「外側（ｏｕｔｅｒ）」、「上（ａｂｏｖｅ）」、「下（ｂｅｌｏｗ）」などのような空間的又は方向的用語は、図面に示されているように、本発明に関する。しかしながら、本発明は、様々な代替的志向性（ａｌｔｅｒｎａｔｉｖｅ  ｏｒｉｅｎｔａｔｉｏｎｓ）を想定することができ、したがって、そのような用語は限定的であるとみなされるべきではない。
【００２１】
明細書及び特許請求の範囲で使用される全ての数字は、全ての場合において、用語「約」によって修飾されるものとして理解されるべきである。「約」は、記載した値の±１０％の範囲を意味する。
【００２２】
本明細書に開示されている全ての範囲は、上限及び下限の値、並びにその中に包含されている全ての部分範囲を包含する。本明細書に開示される範囲は、特定された範囲にわたる平均値を代表する。
【００２３】
本明細書に記載されたコーティング層又はフィルムに関して、「上に（“ｏｖｅｒ”）」という用語は、コーティング層又はフィルムが配置される基材（又はベース層）から遠いことを意味する。例えば、第１層「上に（“ｏｖｅｒ”）」に位置する第２層は、第２層が第１層よりも基材（又はベース層）から遠くに位置することを意味する。第２層は、第１層と直接接触することができる。あるいは、第１層と第２層の間に、１つ以上の他の層を配置することができる。
【００２４】
用語「フィルム」は、化学的に異なる及び又は均質な組成を有する領域を意味する。「層」は、１つ以上の「フィルム」を含む。「コーティング」は、１つ以上の「層」を含む。
【００２５】
用語「ポリマー（“ｐｏｌｙｍｅｒ”又は“ｐｏｌｙｍｅｒｉｃ”）」は、オリゴマー、ホモポリマー、コポリマー及びターポリマー、例えば、２種以上のモノマー又はポリマーから形成されるポリマーを含む。
【００２６】
用語「紫外線」は、１００ｎｍから３８０ｎｍ未満の範囲の波長を有する電磁放射線を意味する。用語「可視光線」又は「可視光」は、３８０ｎｍから７８０ｎｍの範囲の波長を有する電磁放射線を意味する。用語「赤外線」は、７８０ｎｍから１００，０００ｎｍを超える範囲の波長を有する電磁放射線を意味する。用語「太陽光赤外線（“ｓｏｌａｒ  ｉｎｆｒａｒｅｄ  ｒａｄｉａｔｉｏｎ”）」は、１，０００ｎｍから３，０００ｎｍの範囲の波長を有する電磁放射線を意味する。用語「熱赤外線（“ｔｈｅｒｍａｌ  ｉｎｆｒａｒｅｄ  ｒａｄｉａｔｉｏｎ”）」は、３，０００ｎｍから１００，０００ｎｍを超える範囲の波長を有する電磁放射線を意味する。
【００２７】
本明細書で言及される全ての文書は、その全体が「参照により組み込まれる」。
【００２８】
用語「光学的厚さ」は、材料の幾何学的厚さに、５５０ｎｍの基準波長における材料の屈折率を乗じた厚さを意味する。例えば、幾何学的厚さが５ｎｍで、５５０ｎｍの基準波長における屈折率が２である材料は、光学的厚さが１０ｎｍである。
【００２９】
「焼戻しされた」（“ｔｅｍｐｅｒｅｄ”）又は「熱処理された」（“ｈｅａｔ−ｔｒｅａｔｅｄ”）という用語は、物品又はコーティングが、熱間焼戻し（ｔｈｅｒｍａｌ  ｔｅｍｐｅｒｉｎｇ）、熱曲げ及び／又は熱強化を達成するのに十分な温度に加熱されたことを意味する。この定義には、熱間焼戻し、熱曲げ及び／又は熱強化を達成するための時間の間、オーブン又は炉内で、例えば、少なくとも５８０℃の温度、例えば少なくとも６００℃、例えば少なくとも６２０℃の温度で、物品を加熱することを含む。例えば、その加熱は１〜１５分、例えば１〜５分の範囲の時間であり得る。
【００３０】
「非熱処理」（“ｎｏｎ−ｈｅａｔ−ｔｒｅａｔｅｄ”）という用語は、焼戻し又は熱処理されていないか、最終用途のために焼戻し又は熱処理されるように設計されていないことを意味する。
【００３１】
用語「金属」及び「金属酸化物」には、シリコンが従来は金属とみなされていなくても、伝統的に認められている金属及び金属酸化物と同様に、それぞれシリコン及びシリカが含まれる。
【００３２】
「少なくとも」は「以上」を意味する。「より大きくない」は「以下」を意味する。
【００３３】
量に関する言及は、他に特定しない限り、「重量パーセント」である。
【００３４】
厚さの値は、反対の指示がない限り、幾何学的厚さである。
【００３５】
「ドーパント」は、１０重量％未満、例えば５重量％未満、例えば４重量％未満、例えば２重量％未満の量で存在する材料である。例えば、１重量％未満である。例えば、０．５重量％未満である。例えば、０．１重量％未満である。
【００３６】
用語「含む」（“ｉｎｃｌｕｄｅｓ”）は、「含む」（“ｃｏｍｐｒｉｓｅｓ”）と同義である。
【００３７】
用語「硬化性」（“ｃｕｒａｂｌｅ“）は、重合又は架橋可能な材料を意味する。「硬化した」（“ｃｕｒｅｄ”）とは、材料が少なくとも部分的に重合又は架橋され、好ましくは完全に重合又は架橋されることを意味する。
【００３８】
用語「臨界厚さ（“ｃｒｉｔｉｃａｌ  ｔｈｉｃｋｎｅｓｓ”）」は特定の幾何学的厚さを意味し、その厚さより厚い場合、材料は連続層（非中断層）を形成し、その厚さより薄い場合、材料は連続層ではなく材料の不連続領域又は島を形成する。
【００３９】
用語「有効厚さ」は、臨界厚さ未満であるが堆積パラメータ（例えば、堆積速度、ライン速度など）で堆積される材料の理論上の幾何学的厚さを指し、臨界厚さを超えて堆積された場合、報告された厚さの値で材料の連続層を提供する。例えば、Ｘｃｍ／秒の堆積ライン速度で堆積された材料が１０ｎｍの幾何学的厚さを有する連続層を形成することが知られている場合、ライン速度を２Ｘに増加させると５ｎｍの幾何学的厚さを有するコーティングを堆積させることが期待される。しかしながら、５ｎｍが材料の臨界厚さを下回る場合、堆積されたコーティングは５ｎｍの連続した均一な厚さを有さず、不連続又は島状の構造を形成するであろう。これは、本明細書では、５ｎｍ「有効厚さ」を有する「層」又は「フィルム」と呼ばれる。
【００４０】
「３ｍｍ基準ＩＧＵ（“３ｍｍ  ｒｅｆｅｒｅｎｃｅ  ＩＧＵ”）」は、Ｎｏ．２表面上にコーティングを有し、空気で満たされた０．５インチ（１．２ｍｍ）のギャップで隔てられた２つの離間した３ｍｍのクリアガラス片を有するものと定義される。「３ｍｍ基準ＩＧＵ値」とは、コーティングが、Ｎｏ．２表面上において３ｍｍ基準ＩＧＵに組み込まれた場合の報告値（ガラスの中心：ｃｅｎｔｅｒ  ｏｆ  ｇｌａｚｉｎｇ）を意味する。
【００４１】
「６ｍｍ基準ＩＧＵ（“６ｍｍ  ｒｅｆｅｒｅｎｃｅ  ＩＧＵ”）」は、Ｎｏ．２表面上にコーティングを有し、空気で満たされた０．５インチ（１．２ｍｍ）のギャップで隔てられた２つの離間した６ｍｍのクリアガラス片を有するものと定義される。「６ｍｍ基準ＩＧＵ値」とは、コーティングが、Ｎｏ．２表面上において６ｍｍ基準ＩＧＵに組み込まれた場合の報告値（ガラスの中心：ｃｅｎｔｅｒ  ｏｆ  ｇｌａｚｉｎｇ）を意味する。
【００４２】
「基準積層ユニット」は、ポリビニルブチラールの０．７６ｍｍの中間層によって接続された２．１ｍｍの透明ガラスの２つのプライ（ｔｗｏ  ｐｌｉｅｓ）と、Ｎｏ．２表面上のコーティングとを有するものと定義される。基準積層ユニット値は、コーティングが、Ｎｏ．２表面上において基準積層ユニットに組み込まれた場合の報告値を意味する。
【００４３】
用語「太陽光制御コーティング（“ｓｏｌａｒ  ｃｏｎｔｒｏｌ  ｃｏａｔｉｎｇ”）」は、コーティングされた物品の太陽光特性（例えば、コーティングから反射される、コーティングによって吸収される、又はコーティングを通過する太陽光放射線の量）に影響を及ぼす１つ以上の層又はフィルムを含むコーティングを指す。
【００４４】
光学的及び太陽光制御性能値（例えば、可視光透過率及び／又はヘイズ）は、反対の指示がない限り、Ｐｅｒｋｉｎ  Ｅｌｍｅｒ１０５０分光光度計を使用して決定される値である。基準ＩＧＵ値（３ｍｍ及び６ｍｍの両方）は、反対の指示がない限り、Ｌａｗｒｅｎｃｅ  Ｂｅｒｋｅｌｅｙ  Ｎａｔｉｏｎａｌ  Ｌａｂｏｒａｔｏｒｙから入手可能なＯＰＴＩＣＳ（ｖ６．０）ソフトウェア及びＷＩＮＤＯＷ（ｖ７．３．４．０）ソフトウェアに従って決定され、ガラスの中心（ｃｅｎｔｅｒ  ｏｆ  ｇｌａｚｉｎｇ：ＣＯＧ）が測定され、ＮＦＲＣ  ２０１０（ＮＦＲＣ  １００−２０１０を含む）標準のデフォルト設定に従って計算される。
【００４５】
Ｕ値は、反対の指示がない限り、冬／夜のＵ値である。
【００４６】
ＳＨＧＣ値は、反対の指示がない限り、夏／日中の値である。
【００４７】
シート抵抗値は、反対の指示がない限り、４点プローブ（例えば、Ｎａｇｙ  Ｉｎｓｔｒｕｍｅｎｔｓ  ＳＤ−６００測定装置又はＡｌｅｓｓｉ４点プローブ）を用いて測定された値である。表面粗さの値は、Ｉｎｓｔｒｕｍｅｎｔ  Ｄｉｍｅｎｓｉｏｎ  ３１００  原子間力顕微鏡を使用して測定された値である。
【００４８】
色値（例えば、Ｌ＊、ａ＊、ｂ＊、ｃ＊及びｈｕｅ０）は、国際照明委員会によって指定された１９７６  ＣＩＥＬＡＢ色カラーシステムに従う。
【００４９】
明細書及び特許請求の範囲におけるＬ＊、ａ＊及びｂ＊値は、カラー中心点の値を表す。通常の製造ばらつき内に本発明の太陽光制御コーティングを組み込んだ基準ＩＧＵ（３ｍｍもしくは６ｍｍ）又は基準積層ユニットは、中心点の値に対するΔＥｃｍｃ色差が４ＣＭＣ単位未満（すなわち、ΔＥｃｍｃ＜４）、好ましくは２ＣＭＣ単位未満（すなわち、ΔＥｃｍｃ＜２）である。
【００５０】
本発明の説明は、ある特徴を、「特には」又は「好ましくは」一定の制限内にあるものとして記載することができる（例えば、「好ましくは」、「より好ましくは」、又は「さらにより好ましくは」一定の制限内に）。本発明は、これらの特定の又は好ましい制限に限定されず、本開示の範囲全体を包含することが理解されるべきである。
【００５１】
本発明は、以下の本発明の態様を、任意の組み合わせで、含む、からなる、又は本質的にそれからなる。本発明の様々な態様は、別々の図面に示されている。しかしながら、これは、単に例示及び説明を容易にするためのものであることを理解されたい。本発明の実施において、１つの図面に示される本発明の１つ以上の態様は、１つ以上の他の図面に示される本発明の１つ以上の態様と組み合わせることができる。
【００５２】
本発明は、建築用の透明体を参照して説明される。「建築用の透明体（ａｒｃｈｉｔｅｃｔｕｒａｌ  ｔｒａｎｓｐａｒｅｎｃｙ）」は、窓、ＩＧＵ、又は天窓（ｓｋｙ  ｌｉｇｈｔ）などの建物上に位置する任意の透明体を意味する。しかしながら、本発明は、建築用の透明体の使用に限定されず、任意の所望の分野の透明体を用いて実施することができることを理解されたい（例えば、住宅用及び／又は商業用の積層窓又は非積層窓、並びに／又は陸上、空中、宇宙、水上及び／又は水中の乗り物用の透明体など）。したがって、具体的に開示された実施例は、単に本発明の一般的な概念を説明するために提示され、本発明はこれらの特定の例示的な実施形態に限定されないことを理解されたい。さらに、典型的な「透明体」は、透明体を介して材料を見ることができるように十分な可視光透過率を有することができるが、本発明の実施例においては、「透明体」は可視光に対して透明である必要はなく、半透明であってもよい。
【００５３】
本発明の特徴を組み込んだコーティングされた物品１０を、図１及び図２に示す。コーティングされた物品１０は、第１主面１４と対向する第２主面１６とを有する第１プライ１２又は基材を含む。
【００５４】
本発明の太陽光制御コーティング３０は、第１プライ１２の主面１４、１６の少なくとも１つの上に配置される。図１及び図２に示す例では、太陽光制御コーティング３０は、第１プライ１２の第２主面１６の少なくとも一部の上に配置される。図１に示すように、太陽光制御コーティング３０は、第１位相調整層４０を含む。第１金属機能層４６は、第１位相調整層４０の上に配置される。任意の第１プライマー層４８は、第１金属機能層４６の上に配置することができる。第２位相調整層５０は、任意の第１プライマー層４８が存在する場合には、その上に配置される。第２金属機能層５８は、第２位相調整層５０の上に配置される。任意の第２プライマー層６０は、第２金属機能層５８の上に配置することができる。第３位相調整層６２は、任意の第２プライマー層６０が存在する場合には、その上に配置される。第３金属機能層７０は、第３位相調整層６２の上に配置される。任意の第３プライマー層７２は、第３金属機能層７０の上に配置することができる。第４位相調整層８６は、任意の第３プライマー層７２が存在する場合には、その上に配置される。任意の保護層９２は、第４位相調整層８６の上に配置することができる。金属機能層４６、５８、７０の少なくとも１つは、（ｉ）少なくとも１つの赤外線反射フィルムと、（ｉｉ）少なくとも１つの吸収フィルムと、を含む金属機能マルチフィルム層を含む。
【００５５】
第１プライ１２は、可視光線に対して透明又は半透明であり得る。「透明」とは、０％より大きく１００％までの可視光線透過率を有することを意味する。あるいは、プライは半透明であってもよい。「半透明（“ｔｒａｎｓｌｕｃｅｎｔ”）」とは、観察者の反対側の物体がはっきりと見えないように、可視光線を拡散することを意味する。適切な材料の例には、これらに限定されないが、プラスチック基材（例えば、アクリルポリマー、例えばポリアクリレート；ポリアルキルメタクリレート、例えばポリメチルメタクリレート、ポリエチルメタクリレート、ポリプロピルメタクリレート等；ポリウレタン；ポリカーボネート；ポリエチレンテレフタレート（ＰＥＴ）、ポリプロピレンテレフタレート、ポリブチレンテレフタレート等のポリアルキルテレフタレート；ポリシロキサン含有ポリマー；又はこれらを調製するための任意のモノマーのコポリマー、又はそれらの任意の混合物）；セラミック基材；ガラス基材；又は上記のいずれかの混合物もしくは組み合わせを含む。例えば、プライは、従来のソーダライム−シリケートガラス、ホウケイ酸ガラス、又は有鉛ガラスを含むことができる。ガラスは透明ガラスとすることができる。「透明ガラス」は、ノンティンテッド（ｎｏｎ−ｔｉｎｔｅｄ）ガラス又は非着色ガラスを意味する。あるいは、ガラスはティンテッド（ｔｉｎｔｅｄ）ガラスであってもよく、そうでなければ着色ガラスであってもよい。ガラスは、非熱処理又は熱処理したガラスであってもよい。ガラスは、従来のフロートガラスのような任意のタイプのものでよく、任意の光学特性、例えば可視光線透過率、紫外線透過率、赤外線透過率及び／又は全太陽エネルギー透過率の任意の値を有する任意の組成物であり得る。「フロートガラス」とは、溶融ガラスが溶融金属浴上に堆積され、制御可能に冷却されてフロートガラスリボンを形成する従来のフロートプロセスによって形成されたガラスを意味する。
【００５６】
第１プライ１２は、透明フロートガラスであってもよいし、あるいはティンテッド（ｔｉｎｔｅｄ）ガラス又は着色ガラスであってもよい。第１プライは、任意の所望の寸法（例えば、長さ、幅、形状、又は厚さ）とすることができる。本発明の実施に使用できるガラスの非限定的な例には、透明ガラス、Ｓｔａｒｐｈｉｒｅ（登録商標）、Ｓｏｌａｒｇｒｅｅｎ（登録商標）、Ｓｏｌｅｘｔｒａ（登録商標）、ＧＬ−２０（登録商標）、ＧＬ−３５（商標）、Ｓｏｌａｒｂｒｏｎｚｅ（登録商標）、Ｓｏｌａｒｇｒａｙ（登録商標）ガラス、Ｐａｃｉｆｉｃａ（登録商標）ガラス、ＳｏｌａｒＢｌｕｅ（登録商標）ガラス、及びＯｐｔｉｂｌｕｅ（登録商標）ガラスが含まれ、これらは全てペンシルベニア州ピッツバーグのＰＰＧインダストリーズ社から市販されている。
【００５７】
位相調整層４０、５０、６２、８６は、非金属層を含む。例えば、位相調整層４０、５０、６２、８６は、誘電材料又は半導体材料を含む。例えば、位相調整層４０、５０、６２、８６は、酸化物、窒化物、酸窒化物、ホウ化物、炭化物、オキシ炭化物、ホウ炭化物、ホウ窒化物、炭窒化物、及び／又はそれらの混合物、組合せ、ブレンド、合金を含むことができる。位相調整層４０、５０、６２、８６に適した材料の例には、チタン、ハフニウム、ジルコニウム、ニオブ、亜鉛、ビスマス、鉛、インジウム、スズ、シリコン、アルミニウム、ホウ素の酸化物、窒化物又は酸窒化物、及びそれらの混合物、組合せ、ブレンド、合金が含まれる。これらは、少量の他の材料を有することができる。例としては、酸化ビスマス中のマンガン、酸化インジウム中のスズ等が挙げられる。加えて、金属合金の酸化物又は金属混合物の酸化物を使用することができる。例としては、亜鉛及びスズを含む酸化物（例えば、スズ酸亜鉛）、インジウム−スズ合金の酸化物、シリコン窒化物、シリコンアルミニウム窒化物、又はアルミニウム窒化物等が挙げられる。さらに、ドープされた金属酸化物、亜酸化物、窒化物、亜窒化物、又は酸窒化物を使用することができる。例としては、アンチモンもしくはインジウムをドープした酸化スズ、又はニッケルもしくはホウ素をドープした酸化ケイ素等が挙げられる。材料の特定の例には、酸化亜鉛、酸化スズ、シリコン窒化物、シリコン−アルミニウム窒化物、シリコン−ニッケル窒化物、シリコン−クロム窒化物、アンチモンドープ酸化スズ、スズドープ酸化亜鉛アルミニウムドープ酸化亜鉛、インジウムドープ酸化亜鉛、酸化チタン、及び／又はそれらの混合物、組合せ、ブレンド、合金が含まれる。
【００５８】
１つ以上の位相調整層４０、５０、６２、８６は、単一の材料を含むことができる。あるいは、１つ以上の位相調整層４０、５０、６２、８６は、複数の材料及び／又は複数の層を含むことができる。位相調整層４０、５０、６２、８６は、化学的に異なる材料もしくは位相のフィルムの層状配列を含むことができ、及び／又は１つ以上の化学的に異なる材料もしくは位相の１つ以上の複合材料を含んでもよい。異なる位相調整層４０、５０、６２、８６は、同じ又は異なる材料を含むことができる。位相調整層４０、５０、６２、８６は、同じ又は異なる厚さを有することができる。
【００５９】
位相調整層４０、５０、６２、８６は、太陽光制御コーティング３０の層の様々な界面境界から部分的に反射され、及び／又は部分的に透過する、電磁放射線の建設的及び破壊的光学干渉を調整することを可能にする。位相調整層４０、５０、６２、８６の厚さ及び／又は組成を変更することにより、太陽光制御コーティング３０の全体的な反射率、透過率、及び／又は吸収率を変化させることができ、これにより、太陽光制御コーティング３０の太陽光制御性能、熱赤外線遮蔽性能、色、及び／又は審美性を変えることができる。さらに、位相調整層４０、５０、６２、８６は、金属機能層などの太陽光制御コーティング３０の他の層に対して化学的及び／又は機械的保護を提供することができる。
【００６０】
高い可視光透過率が望ましい場合、位相調整層４０、５０、６２、８６は、金属機能層の反射を防止する反射防止層として作用して、太陽光制御コーティング３０の全体の可視光反射率を減少させ及び／又は可視光透過率を増加させることができる。約２の屈折率を有する材料は、金属機能層の反射防止に特に有用である。
【００６１】
プライ１２と最も下にある金属機能層との間に、１つ以上の位相調整層を配置することができる。１つ以上の位相調整層は、最も上にある金属機能層と周囲環境、例えば空気との間に配置することができる。
【００６２】
図示された例示的なコーティング３０では、第１位相調整層４０は、第１プライ１２の第２主面１６の少なくとも一部の上に配置される。第１位相調整層４０は、単一層であってもよいし、あるいは上記の反射防止材料及び／又は誘電材料の１つ以上のフィルムを含むことができる。第１位相調整層４０は、可視光に対して透明であってもよい。第１位相調整層４０は、電磁スペクトルの１つ以上の領域、例えば、可視光において最小の吸収を示しても示さなくてもよい。
【００６３】
第１位相調整層４０は、上記の位相調整材料のいずれかを含むことができる。例えば、第１位相調整層４０は、金属酸化物、金属酸化物の混合物又は金属合金酸化物を含むことができる。例えば、第１位相調整層４０は、ドープされた又はドープされていない亜鉛及びスズの酸化物を含むことができる。
【００６４】
第１位相調整層４０は、４０ｎｍから１００ｎｍの範囲の光学的厚さを有することができる。例えば、５０ｎｍから９０ｎｍの範囲の光学的厚さである。例えば、７０ｎｍから８０ｎｍの範囲の光学的厚さである。例えば、７５ｎｍから７６ｎｍの範囲の光学的厚さである。
【００６５】
第１位相調整層４０は、２０ｎｍから５０ｎｍの範囲の幾何学的厚さを有することができる。例えば、２５ｎｍから４５ｎｍの範囲の幾何学的厚さである。例えば、３５ｎｍから４０ｎｍの範囲の幾何学的厚さである。例えば、３７ｎｍから３８ｎｍの範囲の幾何学的厚さである。
【００６６】
図２に示すように、第１位相調整層４０は、第１フィルム４２及び第２フィルム４４を有するマルチフィルム構造を含むことができる。第２フィルム４４は、第１フィルム４２上に配置することができる。
【００６７】
第１フィルム４２は、例えば、金属合金の酸化物又は金属酸化物の混合物を含むことができる。例えば、第１フィルム４２は、亜鉛とスズとの合金の酸化物であってもよい。「亜鉛とスズとの合金」は、真の合金及び混合物の両方を意味する。亜鉛とスズとの合金の酸化物は、亜鉛及びスズのカソードからのマグネトロンスパッタリング真空堆積（ＭＳＶＤ）から得られるものであり得る。カソードは、亜鉛及びスズを、５重量％〜９５重量％の亜鉛と９５重量％〜５重量％のスズの割合で、例えば、１０重量％〜９０重量％の亜鉛と９０重量％〜１０重量％のスズの割合で、含むことができる。しかし、亜鉛とスズとの他の割合も使用することができる。第１フィルム４２の例示的な金属合金の酸化物は、ＺｎｘＳｎ１−ｘＯ２−ｘ（式１）と記載することができ、「ｘ」は、０より大きく１未満の範囲で変化する。例えば、「ｘ」は0より大きくてもよく、０より大きく１未満の任意の分数又は小数であってもよい。式１の化学量論的形態は、「Ｚｎ２ＳｎＯ４」であり、一般にスズ酸亜鉛と呼ばれる。スズ酸亜鉛層は、酸素の存在下で、５２重量％の亜鉛及び４８重量％のスズを有するカソードからスパッタ堆積させることができる。例えば、第１フィルム４２は、スズ酸亜鉛を含むことができる。
【００６８】
ドープされた酸化亜鉛は、カソードのスパッタリング特性を改善するために、別の材料を含む亜鉛カソードから堆積させることができる。例えば、亜鉛カソードは、スパッタリングを改善するために、少量のスズ（例えば、１０重量％まで、例えば５重量％まで）を含むことができる。この場合、得られる酸化亜鉛フィルムは、酸化スズを少量（例えば、酸化スズを１０重量％まで、例えば、酸化スズを５重量％まで）含む。他の材料の例には、アルミニウム、インジウム、及びそれらの組合せが含まれる。好ましくは、他の材料はスズを含む。酸素の存在下で９０重量％の亜鉛及び１０重量％のスズを含むカソードから堆積されたスズドープ酸化亜鉛材料は、本明細書では、ＺｎＯ  ９０／１０と呼ぶ。
【００６９】
第２フィルム４４は、金属酸化物、ドープされた金属酸化物、又は酸化物混合物を含むことができる。第２フィルム４４は、金属酸化物又はドープされた金属酸化物を含むことができる。例えば、第２フィルム４４は、酸化亜鉛又はドープされた酸化亜鉛を含むことができる。例えば、第２フィルム４４は、スズでドープされた酸化亜鉛を含むことができる。例えば、第２フィルム４４は、ＺｎＯ  ９０／１０を含むことができる。
【００７０】
第１フィルム４２は、３０ｎｍから７０ｎｍの範囲の光学的厚さを有することができる。例えば、４０ｎｍから６０ｎｍの範囲の光学的厚さである。例えば、４４ｎｍから５４ｎｍの範囲の光学的厚さである。例えば、４９ｎｍから５２ｎｍの範囲の光学的厚さである。
【００７１】
第１フィルム４２は、１５ｎｍから３５ｎｍの範囲の幾何学的厚さを有することができる。例えば、２０ｎｍから３０ｎｍの範囲の幾何学的厚さである。例えば、２２ｎｍから２７ｎｍの範囲の幾何学的厚さである。例えば、２４ｎｍから２５ｎｍの範囲の幾何学的厚さである。
【００７２】
第２フィルム４４は、１０ｎｍから４０ｎｍの範囲の光学的厚さを有することができる。例えば、１６ｎｍから３８ｎｍの範囲の光学的厚さである。例えば、２０ｎｍから３０ｎｍの範囲の光学的厚さである。例えば、２６ｍから２８ｎｍの範囲の光学的厚さである。
【００７３】
第２フィルム４４は、５ｎｍから２０ｎｍの範囲の幾何学的厚さを有することができる。例えば、８ｎｍから１８ｎｍの範囲の幾何学的厚さである。例えば、１０ｎｍから１５ｎｍの範囲の幾何学的厚さである。例えば、１３ｎｍから１４ｎｍの範囲の幾何学的厚さである。
【００７４】
金属機能層４６、５８、７０は、単一のフィルムであってもよい。例えば、金属機能層４６、５８、７０は、それぞれ連続金属フィルムを含んでもよい。「連続（“ｃｏｎｔｉｎｕｏｕｓ”）」金属フィルムとは、均質フィルムのような、破断していない又は非断絶の（ｕｎｂｒｏｋｅｎ  ｏｒ  ｎｏｎ−ｄｉｓｃｏｎｎｅｃｔｅｄ）フィルムを意味する。
【００７５】
あるいは、１つ以上の金属機能層４６、５８、７０は、金属機能マルチフィルム層であってもよい。「金属機能マルチフィルム層」は、（ｉ）少なくとも１つの赤外線反射フィルムと、（ｉｉ）少なくとも１つの吸収フィルムと、を含む層を意味する。赤外線反射フィルムは、電磁スペクトルの太陽光赤外線及び／又は熱赤外線部分において反射性を有することができる。吸収フィルムは、電磁スペクトルの１つ以上の部分において増強された吸収率を示すことができる。例えば、電磁スペクトルの可視光線領域及び／又は赤外線放射領域及び／又は紫外線放射領域における吸収率の増強である。
【００７６】
金属機能マルチフィルム層は、赤外線反射フィルム上に吸収フィルムを含むことができる。吸収フィルムは、上にある任意のプライマー層と直接接触することができる。
【００７７】
金属機能マルチフィルム層は、吸収フィルム上に赤外線反射フィルムを含むことができる。吸収フィルムは、下にある位相調整層と直接接触することができる。
【００７８】
金属機能マルチフィルム層は、２つの吸収フィルムの間に位置する赤外線反射フィルムを含むことができる。上側の吸収フィルムは、上にある任意のプライマー層と直接接触することができる。下側の吸収フィルムは、下にある位相調整層と直接接触することができる。任意に、下側の吸収フィルムとその下の位相調整層との間にプライマー層を配置することができる。
【００７９】
赤外線反射フィルムの例には、連続金属フィルムが含まれる。赤外線反射フィルムに有用な赤外線反射金属の例には、貴金属又は貴金属に近いもの（ｎｅａｒ  ｎｏｂｌｅ  ｍｅｔａｌｓ）が含まれる。このような金属の例には、銀、金、白金、パラジウム、オスミウム、イリジウム、ロジウム、ルテニウム、銅、水銀、レニウム、アルミニウム、及びそれらの組合せ、混合物、ブレンド、又は合金が含まれる。例えば、１つ以上の金属機能フィルムは、連続的な金属銀フィルムを含むことができる。
【００８０】
吸収フィルムのための吸収材料の例には、金属、例えば、金、銀、銅、ニッケル、パラジウム、白金、タングステン、ロジウム、イリジウム、タンタル、鉄、スズ、アルミニウム、鉛、亜鉛、クロム、モリブデン、ニオブ、コバルト、マンガン、チタン、シリコン、クロム、及びそれらの組合せ、混合物、ブレンド、又は合金が含まれる。例えば、１つ以上の吸収フィルムは、銅を含んでもよい。１つ以上の吸収フィルムは、上記の材料の２つ以上の合金又は超合金を含んでもよい。例えば、ニッケルの合金、クロムの合金、又はニッケル及びクロムの合金。例えば、Ｉｎｃｏｎｅｌ（登録商標）６００、Ｉｎｃｏｎｅｌ（登録商標）６１７、Ｉｎｃｏｎｅｌ（登録商標）６２５、Ｉｎｃｏｎｅｌ（登録商標）６９０及び／又はＩｎｃｏｎｅｌ。
【００８１】
第１金属機能層４６は、上述したような金属機能マルチフィルム層を含むことができる。
【００８２】
あるいは、第１金属機能層４６は、上記の赤外線反射金属のいずれかを含む単一の赤外線反射フィルムを含むことができる。例えば、第１金属機能層４６は、金属銀の連続フィルムを含むことができる。
【００８３】
第一金属機能層４６は、５ｎｍから２５ｎｍの範囲の幾何学的厚さを有することができる。例えば、７ｎｍから２０ｎｍの範囲の幾何学的厚さである。例えば、１０ｎｍから１５ｎｍの範囲の幾何学的厚さである。例えば、１１．５ｎｍから１２．５ｎｍの範囲の幾何学的厚さである。
【００８４】
任意のプライマー層４８、６０、７２は、関連する下層の金属機能層と直接接触して配置することができる。プライマー層４８、６０、７２は、コーティングプロセス中、及び／又は熱強化（ｔｈｅｒｍａｌ  ｔｅｍｐｅｒｉｎｇ）などのその後の処理中に、関連する金属機能層を保護する。プライマー材料は金属として堆積される。上にある位相調整層の堆積及び／又は熱強化などのその後の処理中に、金属プライマーの一部又は全部が酸化する。位相調整層に酸化物材料又は窒化物材料が使用される場合、プライマー層４８、６０、７２は、それぞれ、好酸素材料又は好窒素材料（ｏｘｏｐｈｉｌｌｉｃ  ｏｒ  ｎｉｔｒｏｐｈｉｌｌｉｃ  ｍａｔｅｒｉａｌｓ）を含むことができる。プライマー層４８、６０、７２は、全て同じ材料である必要はない。プライマー層４８、６０、７２は、同じ厚さである必要はない。
【００８５】
プライマー層４８、６０、７２に有用な材料の例には、チタン、ニオブ、タングステン、ニッケル、クロム、鉄、タンタル、ジルコニウム、アルミニウム、シリコン、インジウム、スズ、亜鉛、モリブデン、ハフニウム、ビスマス、バナジウム、マンガン、及びそれらの組合せ、混合物、ブレンド、又は合金が含まれる。
【００８６】
任意の第１プライマー層４８は、第１金属機能層４６の上に配置することができる。第１プライマー層４８は、単一のフィルム又は複数のフィルム層であってもよい。第１プライマー層４８は、上記のプライマー材料のいずれかを含むことができる。例えば、第１プライマー層４８は、チタンを含むことができる。例えば、第１プライマー層４８は、チタン金属として堆積させることができる。
【００８７】
第１プライマー層４８は、０．５ｎｍから１０ｎｍの範囲の幾何学的厚さ又は有効厚さを有することができる。例えば、１ｎｍから５ｎｍの範囲である。例えば、１．５ｎｍから２．５ｎｍの範囲である。例えば、２ｎｍである。
【００８８】
第２位相調整層５０は、第１金属機能層４６上に、例えば任意の第１プライマー層４８が存在する場合にはその上に、配置される。第２位相調整層５０は、位相調整層について上記の材料及び／又はフィルムの１つ以上を含むことができる。
【００８９】
第２位相調整層５０は、８０ｎｍから２００ｎｍの範囲の光学的厚さを有することができる。例えば、１００ｎｍから１６０ｎｍの範囲の光学的厚さである。例えば、１３０ｎｍから１４０ｎｍの範囲の光学的厚さである。例えば、１３６ｎｍから１３８ｎｍの範囲の光学的厚さである。
【００９０】
第２位相調整層５０は、４０ｎｍから１００ｎｍの範囲の幾何学的厚さを有することができる。例えば、５０ｎｍから８０ｎｍの範囲の幾何学的厚さである。例えば、６５ｎｍから７０ｎｍの範囲の幾何学的厚さである。例えば、６８ｎｍから６９ｎｍの範囲の幾何学的厚さである。
【００９１】
第２位相調整層５０は、単一フィルムでもマルチフィルム構造でもよい。例えば、第２位相調整層５０は、第１フィルム５２、第２フィルム５４、及び第３フィルム５６を含むことができる。
【００９２】
第１フィルム５２及び／又は第３フィルム５６は、金属酸化物又はドープされた金属酸化物を含むことができる。例えば、第１フィルム５２及び／又は第３フィルム５６は、酸化亜鉛又はドープされた酸化亜鉛を含むことができる。例えば、第１フィルム５２及び／又は第３フィルム５６は、スズでドープされた酸化亜鉛を含むことができる。例えば、第１フィルム５２及び／又は第３フィルム５６は、ＺｎＯ  ９０／１０を含むことができる。
【００９３】
第２フィルム５４は、金属合金の酸化物を含むことができる。例えば、亜鉛及びスズを含む酸化物である。例えば、第２フィルム５４は、スズ酸亜鉛を含むことができる。
【００９４】
第１フィルム５２（及び／又は第３フィルム５６）は、１０ｎｍから４０ｎｍの範囲の光学的厚さを有することができる。例えば、１６ｎｍから３８ｎｍの範囲の光学的厚さである。例えば、２０ｎｍから３５ｎｍの範囲の光学的厚さである。例えば、２８ｎｍから３０ｎｍの範囲の光学的厚さである。第１フィルム５２及び第３フィルム５６は、同じ又は異なる材料を含むことができ、同じ又は異なる厚さを有することができる。
【００９５】
第１フィルム５２（及び／又は第３フィルム５６）は、５ｎｍから２０ｎｍの範囲の幾何学的厚さを有することができる。例えば、８ｎｍから１８ｎｍの範囲の幾何学的厚さである。例えば、１０ｎｍから１６ｎｍの範囲の幾何学的厚さである。例えば、１４ｎｍから１５ｎｍの範囲の幾何学的厚さである。
【００９６】
第２フィルム５４は、５０ｎｍから１００ｎｍの範囲の光学的厚さを有することができる。例えば、７０ｎｍから９０ｎｍの範囲の光学的厚さである。例えば、７６ｎｍから８０ｎｍの範囲の光学的厚さである。例えば、７８ｎｍから７９ｎｍの範囲の光学的厚さである。
【００９７】
第２フィルム５４は、２５ｎｍから５０ｎｍの範囲の幾何学的厚さを有することができる。例えば、３５ｎｍから４５ｎｍの範囲の幾何学的厚さである。例えば、３８ｎｍから４２ｎｍの範囲の幾何学的厚さである。例えば、３９ｎｍから４０ｎｍの範囲の幾何学的厚さである。
【００９８】
第２金属機能層５８は、第２位相調整層５０の上に配置される。第２金属機能層５８は、赤外線反射フィルム５７を含む単一のフィルムとすることができる。あるいは、第２金属機能層５８は、マルチフィルム層を含むことができる。図２に示す例では、第２金属機能層５８は、赤外線反射フィルム５７と吸収フィルム５９とを含む金属機能マルチフィルム層である。吸収フィルム５９は、赤外線反射フィルム５７の上又は下に配置することができる。好ましくは、吸収フィルム５９は、赤外線反射フィルム５７の上に配置される。
【００９９】
赤外線反射フィルム５７は、上記の赤外線反射材料のいずれかを含む。例えば、連続金属フィルムである。例えば、連続銀フィルムである。
【０１００】
赤外線反射フィルム５７は、５ｎｍから２５ｎｍの範囲の幾何学的厚さを有することができる。例えば、７ｎｍから２０ｎｍの範囲の幾何学的厚さである。例えば、１０ｎｍから１８ｎｍの範囲の幾何学的厚さである。例えば、１５ｎｍから１６ｎｍの範囲の幾何学的厚さである。
【０１０１】
吸収フィルム５９は、上記の吸収材料のいずれかを含むことができる。例えば、吸収フィルム５９は、ニッケルとクロムの合金を含むことができる。例えば、吸収フィルム５９は、Ｉｎｃｏｎｅｌ（登録商標）６００、Ｉｎｃｏｎｅｌ（登録商標）６１７、Ｉｎｃｏｎｅｌ（登録商標）６２５、Ｉｎｃｏｎｅｌ（登録商標）６９０及び／又はＩｎｃｏｎｅｌを含むことができる。例えば、吸収フィルム５９は、Ｉｎｃｏｎｅｌ（登録商標）６００を含むことができる。
【０１０２】
吸収フィルム５９は、０ｎｍから２ｎｍの範囲の有効厚さを有することができる。例えば、０．１ｎｍから１．５ｎｍの範囲の有効厚さである。例えば、０．２５ｎｍから１ｎｍの範囲の有効厚さである。例えば、０．５ｎｍから０．７５ｎｍの範囲の有効厚さである。
【０１０３】
任意の第２プライマー層６０は、第２金属機能層５８の上に配置することができる。第２プライマー層６０は、プライマー材料のいずれかを含むことができ、任意の第１プライマー層４８に関して上記の厚さのいずれかとすることができる。例えば、第２プライマー層６０は、チタンを含むことができる。
【０１０４】
第２プライマー層６０は、０．５ｎｍから１０ｎｍの範囲の幾何学的厚さ又は有効厚さを有することができる。例えば、１ｎｍから５ｎｍの範囲である。例えば、１．５ｎｍから２．５ｎｍの範囲である。例えば、２ｎｍから２．２５ｎｍの範囲である。
【０１０５】
第３位相調整層６２は、第２金属機能層５８上に、例えば任意の第２プライマー層６０が存在する場合にはその上に、配置される。第３位相調整層６２は、第１及び第２の位相調整層４０、５０に関して上述した位相調整材料及び／又はフィルムのいずれかを含むことができる。例えば、第３位相調整層６２は、マルチフィルム構造でもよい。例えば、第３位相調整層６２は、第１フィルム６４、第２フィルム６６、及び第３フィルム６８を含むことができる。
【０１０６】
第３位相調整層６２は、９０ｎｍから２００ｎｍの範囲の光学的厚さを有することができる。例えば、１２０ｎｍから１８０ｎｍの範囲の光学的厚さである。例えば、１５０ｎｍから１７０ｎｍの範囲の光学的厚さである。例えば、１５８ｎｍから１５９ｎｍの範囲の光学的厚さである。
【０１０７】
第３位相調整層６２は、４５ｎｍから１００ｎｍの範囲の幾何学的厚さを有することができる。例えば、６０ｎｍから９０ｎｍの範囲の幾何学的厚さである。例えば、７５ｎｍから８５ｎｍの範囲の幾何学的厚さである。例えば、７９ｎｍから８０ｎｍの範囲の幾何学的厚さである。
【０１０８】
第１フィルム６４及び／又は第３フィルム６８は、金属酸化物又はドープされた金属酸化物を含むことができる。例えば、酸化亜鉛又はドープされた酸化亜鉛である。例えば、スズでドープされた酸化亜鉛である。例えば、ＺｎＯ  ９０／１０である。第２フィルム６６は、金属合金の酸化物を含むことができる。例えば、亜鉛及びスズを含む酸化物である。例えば、スズ酸亜鉛である。
【０１０９】
第１フィルム６４（及び／又は第３フィルム６８）は、１０ｎｍから４０ｎｍの範囲の光学的厚さを有することができる。例えば、１６ｎｍから３８ｎｍの範囲の光学的厚さである。例えば、２０ｎｍから３０ｎｍの範囲の光学的厚さである。例えば、２８ｎｍから２９ｎｍの範囲の光学的厚さである。第１フィルム６４及び第３フィルム６８は、同じ又は異なる厚さを有することができる。
【０１１０】
第１フィルム６４（及び／又は第３フィルム６８）は、５ｎｍから２０ｎｍの範囲の幾何学的厚さを有することができる。例えば、８ｎｍから１８ｎｍの範囲の幾何学的厚さである。例えば、１０ｎｍから１５ｎｍの範囲の幾何学的厚さである。例えば、１３ｎｍから１４ｎｍの範囲の幾何学的厚さである。
【０１１１】
第２フィルム６６は、７０ｎｍから１４０ｎｍの範囲の光学的厚さを有することができる。例えば、８０ｎｍから１２０ｎｍの範囲の光学的厚さである。例えば、９０ｎｍから１１０ｎｍの範囲の光学的厚さである。例えば、１０２ｎｍから１０４ｎｍの範囲の光学的厚さである。
【０１１２】
第２フィルム６６は、３５ｎｍから７０ｎｍの範囲の幾何学的厚さを有することができる。例えば、４０ｎｍから６０ｎｍの範囲の幾何学的厚さである。例えば、４５ｎｍから５５ｎｍの範囲の幾何学的厚さである。例えば、５１ｎｍから５２ｎｍの範囲の幾何学的厚さである。
【０１１３】
第３金属機能層７０は、単一フィルムでもマルチフィルム構造でもよい。図２に示す例では、第３金属機能層７０は、吸収フィルム７１と赤外線反射フィルム７３とを含む金属機能マルチフィルム層である。第３金属機能層７０の金属機能マルチフィルム層は、第２金属機能層５８に対して上記のいずれかのフィルム配向を有することができる。吸収フィルム７１は、赤外線反射フィルム７３の上又は下に配置することができる。吸収フィルム７１は、赤外線反射フィルム７３の下に配置することができる。
【０１１４】
吸収フィルム７１は、上記の吸収材料のいずれかを含むことができる。例えば、吸収フィルム７１は、金属フィルムであってもよい。例えば、吸収フィルム７１は、金、銀、銅、ニッケル、鉄、スズ、アルミニウム、鉛、亜鉛、クロム、及びそれらの組合せを含むことができる。例えば、銅である。
【０１１５】
吸収フィルム７１は、１ｎｍから１０ｎｍの範囲の物理的厚さ又は有効厚さを有することができる。例えば、２．５ｎｍから４．５ｎｍの範囲である。例えば、３ｎｍから４ｎｍの範囲である。例えば、３．５ｎｍから３．７５ｎｍの範囲である。
【０１１６】
赤外線反射フィルム７３は、連続した金属フィルムであってもよい。例えば、連続金属フィルムである。例えば、金属銀フィルムである。
【０１１７】
赤外線反射フィルム７３は、５ｎｍから３０ｎｍの範囲の幾何学的厚さを有することができる。例えば、１０ｎｍから２５ｎｍの範囲の幾何学的厚さである。例えば、１５ｎｍから２０ｎｍの範囲の幾何学的厚さである。例えば、１８ｎｍから１９ｎｍの範囲の幾何学的厚さである。
【０１１８】
任意の第３プライマー層７２は、上記のプライマー材料のいずれかを含むことができる。
例えば、第３プライマー層７２は、チタンを含むことができる。
【０１１９】
第３プライマー層７２は、０．５ｎｍから１０ｎｍの範囲の幾何学的厚さ又は有効厚さを有することができる。例えば、１ｎｍから５ｎｍの範囲である。例えば、１．５ｎｍから２．５ｎｍの範囲である。例えば、２ｎｍから２．３ｎｍの範囲である。
【０１２０】
第４位相調整層８６は、第１、第２又は第３の位相調整層４０、５０、６２に関して上記の１つ以上の位相調整材料及び／又はフィルムを含むことができる。
【０１２１】
第４位相調整層８６は、３０ｎｍから１００ｎｍの範囲の光学的厚さを有することができる。例えば、４０ｎｍから８０ｎｍの範囲の光学的厚さである。例えば、５０ｎｍから７０ｎｍの範囲の光学的厚さである。例えば、５８ｎｍから５９ｎｍの範囲の光学的厚さである。
【０１２２】
第４位相調整層８６は、１５ｎｍから５０ｎｍの範囲の幾何学的厚さを有することができる。例えば、２０ｎｍから４０ｎｍの範囲の幾何学的厚さである。例えば、２５ｎｍから３５ｎｍの範囲の幾何学的厚さである。例えば、２９ｎｍから３０ｎｍの範囲の幾何学的厚さである。
【０１２３】
第４位相調整層８６は、第１フィルム８８及び第２フィルム９０を含むことができる。
【０１２４】
第１フィルム８８は、金属酸化物又はドープされた金属酸化物を含むことができる。例えば、酸化亜鉛又はドープされた酸化亜鉛である。例えば、スズでドープされた酸化亜鉛である。例えば、ＺｎＯ  ９０／１０である。第２フィルム９０は、金属合金の酸化物を含むことができる。例えば、亜鉛及びスズを含む酸化物である。例えば、スズ酸亜鉛である。
【０１２５】
第１フィルム８８は、４ｎｍから４０ｎｍの範囲の光学的厚さを有することができる。
例えば、１０ｎｍから３０ｎｍの範囲の光学的厚さである。例えば、１４ｎｍから２２ｎｍの範囲の光学的厚さである。例えば、１８ｎｍから１９ｎｍの範囲の光学的厚さである。
【０１２６】
第１フィルム８８は、２ｎｍから２０ｎｍの範囲の幾何学的厚さを有することができる。例えば、５ｎｍから１５ｎｍの範囲の幾何学的厚さである。例えば、７ｎｍから１１ｎｍの範囲の幾何学的厚さである。例えば、９ｎｍから１０ｎｍの範囲の幾何学的厚さである。
【０１２７】
第２フィルム９０は、１０ｎｍから８０ｎｍの範囲の光学的厚さを有することができる。例えば、２０ｎｍから６０ｎｍの範囲の光学的厚さである。例えば、３０ｎｍから５０ｎｍの範囲の光学的厚さである。例えば、４０ｎｍから４５ｎｍの範囲の光学的厚さである。
【０１２８】
第２フィルム９０は、５ｎｍから４０ｎｍの範囲の幾何学的厚さを有することができる。例えば、１０ｎｍから３０ｎｍの範囲の幾何学的厚さである。例えば、１５ｎｍから２５ｎｍの範囲の幾何学的厚さである。例えば、２０ｎｍから２２ｎｍの範囲の幾何学的厚さである。
【０１２９】
任意の保護層９２は、太陽光制御コーティング３０の末端の層とすることができる。任意の保護層９２は、位相調整層に関して上述したような１つ以上の非金属材料を含むことができる。あるいは、保護層９２は、金属材料を含むことができる。任意の保護層９２は、下にあるコーティング層に対して化学的及び／又は機械的保護を提供することができる。任意の保護層９２は、位相調整及び／又は吸収を提供することができる。保護層９２は、単一フィルムでもマルチフィルム構造でもよい。
【０１３０】
末端の任意の保護層９２に加えて、あるいはその代わりに、１つ以上の他の任意の保護層９２を太陽光制御コーティング３０内に配置することができる。例えば、２つ以上の位相調整層の間に配置することができる。
【０１３１】
任意の保護層９２は、例えば、金属酸化物材料又は金属窒化物材料を含むことができる。例えば、保護層９２は、チタンの酸化物、例えば二酸化チタン（すなわち、チタニア）を含むことができる。
【０１３２】
任意の保護層９２は、１ｎｍから３０ｎｍの範囲の光学的厚さを有することができる。例えば、２ｎｍから２０ｎｍの範囲の光学的厚さである。例えば、４ｎｍから１４ｎｍの範囲の光学的厚さである。例えば、１０ｎｍから１２ｎｍの範囲の光学的厚さである。
【０１３３】
任意の保護層９２は、０．５ｎｍから１５ｎｍの範囲の幾何学的厚さ又は有効厚さを有することができる。例えば、１ｎｍから１０ｎｍの範囲である。例えば、２ｎｍから７ｎｍの範囲である。例えば、５ｎｍから６ｎｍの範囲である。
【０１３４】
太陽光制御コーティング３０は、非熱処理コーティングであってもよい。
【０１３５】
太陽光制御コーティング３０の層及び／又はフィルムは、任意の従来の方法によって形成することができる。そのような方法の例には、従来の化学蒸着（ＣＶＤ）及び／又は物理蒸着（ＰＶＤ）法が含まれる。ＣＶＤプロセスの例には、噴霧熱分解が含まれる。ＰＶＤプロセスの例には、電子ビーム蒸着及び真空スパッタリング、例えば、マグネトロンスパッタ蒸着（ＭＳＶＤ）が含まれる。他のコーティング方法を用いることもでき、例えば、これに限定されないが、ゾル−ゲル堆積を用いることもできる。１つ以上の層又はフィルムは、１つの方法で形成することができ、１つ以上の他の層又はフィルムは異なる方法で形成することができる。例えば、コーティング３０は、ＭＳＶＤによって形成することができる。
【０１３６】
図３は、断熱ガラスユニット（ＩＧＵ）１００に組み込まれる、図１及び図２のコーティングされた物品１０を示す。第１主面１４（Ｎｏ．１表面）は建物外側に面し、すなわち外側の主面であり、第２主面１６（Ｎｏ．２表面）は建物の内側に面している。絶縁ガラスユニット１００は、外側に面する主面１２０（Ｎｏ．３表面）と内側に面する主面１２２（Ｎｏ．４表面）とを有する第２プライ１１８を含む。プライ表面のこの番号付けは、窓ガラスの従来の慣行に沿ったものである。
【０１３７】
第２プライ１１８は、第１プライ１２から間隔を置いて配置される。第１及び第２プライ１２、１１８は、従来のスペーサフレーム１２４に接着結合されるなど、任意の適切な方法で一緒に接続することができる。ギャップ又はチャンバ１２６は、２つのプライ１２、１１８の間に形成される。チャンバ１２６は、選択された雰囲気（ガス等）で充填することができ、例えば空気又は非反応性ガス（アルゴン又はクリプトンガス等）で充填することができる。図示の例では、太陽光制御コーティング３０は、Ｎｏ．２表面１６上に位置している。しかしながら、太陽光制御コーティング３０は、他の表面のいずれかに配置することができる。例えば、太陽光制御コーティング３０は、Ｎｏ．３表面１２０上に位置することができる。例えば、太陽光制御コーティング３０は、Ｎｏ．１表面１４又はＮｏ．４表面１２２上に位置することができる。
【０１３８】
第２プライ１１８は、第１プライ１２について上述した材料のいずれでもよい。第２のプライ１１８は、第１のプライ１２と同じであってもよいし、第２のプライ１１８が第１のプライ１２と異なっていてもよい。第１及び第２プライ１２、１１８は、例えば、透明フロートガラスとすることができ、又は着色又は着色ガラスとすることができ、又は１つのプライ１２、１１８を透明ガラスとし、他のプライ１２、１１８を着色ガラスとすることができる。
【０１３９】
図４は、積層ユニット１３０に組み込まれた、コーティングされた物品１０を示す。積層ユニット１３０は、ポリマー中間層１３２によって接続された第１プライ１２及び第２プライ１１８を含む。太陽光制御コーティング３０は、Ｎｏ．２表面１６上に示されている。しかし、上記のＩＧＵ１００の場合と同様に、太陽光制御コーティング３０は、表面１４、１６、１２０、又は１２２のいずれかの上にあってもよい。
【０１４０】
太陽光制御コーティング３０は、０．３以下の３ｍｍ基準ＩＧＵ  ＳＨＧＣを提供する。例えば、０．２９以下である。例えば、０．２８以下である。例えば、０．２７以下である。例えば、０．２６以下である。例えば、０．２５以下である。例えば、０．２４以下である。
【０１４１】
太陽光制御コーティング３０は、０．２から０．３の範囲の３ｍｍ基準ＩＧＵ  ＳＨＧＣを提供する。例えば、０．２から０．２９の範囲、例えば、０．２から０．２６の範囲、例えば、０．２から０．２４の範囲、例えば、０．２１から０．２５の範囲である。例えば、０．２２から０．２３５の範囲である。
【０１４２】
太陽光制御コーティング３０は、７０％以下の３ｍｍ基準ＩＧＵ可視光透過率を提供する。例えば、６５％以下である。例えば、６０％以下である。例えば、５７％以下である。例えば、５５％以下である。例えば、４０％から６５％の範囲である。例えば、５０％から５５％の範囲である。例えば、５１％から５４．５％の範囲である。
【０１４３】
太陽光制御コーティング３０は、２５％以下の３ｍｍ基準ＩＧＵ可視光外側反射率を提供する。例えば、２０％以下である。例えば、１５％以下である。例えば、１４％以下である。例えば、１０％から１５％の範囲である。例えば、１２％から１３．５％の範囲である。
【０１４４】
太陽光制御コーティング３０は、２５％以下の３ｍｍ基準ＩＧＵ可視光内側反射率を提供する。例えば、２２％以下である。例えば、２０％以下である。例えば、１６％から２２％の範囲である。例えば、１８％から２０％の範囲である。
【０１４５】
太陽光制御コーティング３０は、少なくとも１．８の３ｍｍ基準ＩＧＵ  ＬＳＧ比を提供する。例えば、少なくとも１．８５である。例えば、少なくとも１．９である。例えば、少なくとも２である。例えば、１．６から２．５の範囲である。例えば、２．１から２．４の範囲である。例えば、２．２から２．３７の範囲である。
【０１４６】
太陽光制御コーティング３０は、７４から８０の範囲の３ｍｍ基準ＩＧＵ透過Ｌ＊を提供する。例えば、７５から７９の範囲である。例えば、７６．５から７８．５の範囲である。
【０１４７】
太陽光制御コーティング３０は、−６から−３の範囲の３ｍｍ基準ＩＧＵ透過ａ＊を提供する。例えば、−５．５から−４の範囲である。例えば、−５．２から−４．２５の範囲である。
【０１４８】
太陽光制御コーティング３０は、０から６の範囲の３ｍｍ基準ＩＧＵ透過ｂ＊を提供する。例えば、１から５の範囲である。例えば、２．８から４．８の範囲である。
【０１４９】
太陽光制御コーティング３０は、３０から５０の範囲の３ｍｍ基準ＩＧＵ外側反射Ｌ＊を提供する。例えば、３５から４９の範囲である。例えば、４１．９から４３．２の範囲である。
【０１５０】
太陽光制御コーティング３０は、−４から０の範囲の３ｍｍ基準ＩＧＵ外側反射ａ＊を提供する。例えば、−３から−１の範囲である。例えば、−２．７から−１．８の範囲である。
【０１５１】
太陽光制御コーティング３０は、−７から０の範囲の３ｍｍ基準ＩＧＵ外側反射ｂ＊を提供する。例えば、−６から−１の範囲である。例えば、−５．６から−４．１の範囲である。
【０１５２】
太陽光制御コーティング３０は、３５から５５の範囲の３ｍｍ基準ＩＧＵ内側反射Ｌ＊を提供する。例えば、４０から５２の範囲である。例えば、４８から５２の範囲である。
【０１５３】
太陽光制御コーティング３０は、−８から０の範囲の３ｍｍ基準ＩＧＵ内側反射ａ＊を提供する。例えば、−６．２から−１の範囲である。例えば、−５．９から−４．５の範囲である。
【０１５４】
太陽光制御コーティング３０は、−５から０の範囲の３ｍｍ基準ＩＧＵ内側反射ｂ＊を提供する。例えば、−４から−１の範囲である。例えば、−３．５から−２の範囲である。
【０１５５】
太陽光制御コーティング３０は、１０オーム／スクエア（Ω／ｓｑ．）未満のシート抵抗を提供する。例えば、５Ω／ｓｑ．未満である。例えば、２Ω／ｓｑ．未満である。例えば、１Ω／ｓｑ．未満である。例えば、０より大きく１．５までの範囲である。例えば、０より大きく１までの範囲である。
【０１５６】
太陽光制御コーティング３０は、０．０２から０．０４の範囲の放射率を有することができる。例えば、０．０２３から０．０３７の範囲である。
【０１５７】
太陽光制御コーティング３０は、０．９から３ワット／平方メートル・ケルビン（Ｗ／ｍ２−Ｋ）の範囲の３ｍｍ基準ＩＧＵの冬／夜のＵ値を提供する。例えば、１から２．５Ｗ／ｍ２−Ｋの範囲である。例えば、１．５から１．７Ｗ／ｍ２−Ｋの範囲である。例えば、１．６から１．６７Ｗ／ｍ２−Ｋの範囲である。
【０１５８】
太陽光制御コーティング３０は、１．４から１．６Ｗ／ｍ２−Ｋの範囲の３ｍｍ基準ＩＧＵの夏／日中のＵ値を提供する。例えば、１．５２から１．５７Ｗ／ｍ２−Ｋの範囲である。
【０１５９】
太陽光制御コーティング３０は、６５から８５の範囲の基準積層ユニット透過Ｌ＊を提供する。例えば、７２から８０の範囲である。例えば、７５から７７の範囲である。
【０１６０】
太陽光制御コーティング３０は、２から−６の範囲の基準積層ユニット透過ａ＊を提供する。例えば、１から−４の範囲である。例えば、−０．５から−２．５の範囲である。
【０１６１】
太陽光制御コーティング３０は、２から８の範囲の基準積層ユニット透過ｂ＊を提供する。例えば、３から７．５の範囲である。例えば、４．５から６．５の範囲である。
【０１６２】
太陽光制御コーティング３０は、４０から５５の範囲の基準積層ユニット反射（外側）Ｌ＊を提供する。例えば、４４から５０の範囲である。例えば、４５．５から４７．５の範囲である。
【０１６３】
太陽光制御コーティング３０は、−６から−１６の範囲の基準積層ユニット反射（外側）ａ＊を提供する。例えば、−８から−１５の範囲である。例えば、−１０から−１２の範囲である。
【０１６４】
太陽光制御コーティング３０は、０から−８の範囲の基準積層ユニット反射（外側）ｂ＊を提供する。例えば、−２から−６の範囲である。例えば、−３から−５の範囲である。
【０１６５】
太陽光制御コーティング３０は、４５から６５の範囲の基準積層ユニット反射（内側）Ｌ＊を提供する。例えば、５０から６０の範囲である。例えば、５４．５から５６．５の範囲である。
【０１６６】
太陽光制御コーティング３０は、−６から−１６の範囲の基準積層ユニット反射（内側）ａ＊を提供する。例えば、−８から−１４の範囲である。例えば、−１０から−１２の範囲である。
【０１６７】
太陽光制御コーティング３０は、−３．５から−１０の範囲の基準積層ユニット反射（内側）ｂ＊を提供する。例えば、−４．５から−８．５の範囲である。例えば、−５．５から−７．５の範囲である。
【実施例】
【０１６８】
表１は、本発明の例示的なコーティングを示す。報告された厚さは、ナノメートル（ｎｍ）単位の幾何学的厚さである。ＺＳは、酸素の存在下で５２重量％の亜鉛と４８重量％のスズを有するカソードから堆積されたスズ酸亜鉛を意味する。ＴＺＯは、酸素の存在下で１０重量％のスズと９０重量％の亜鉛を含むカソードから堆積されたスズでドープされた酸化亜鉛（すなわち、ＺｎＯ  ９０／１０）を意味する。Ａｇは、銀を意味する。ＴｉＯｘは、金属として堆積され、処理中に酸化されるチタンプライマー層を意味する。ＩＮＣは、Ｉｎｃｏｎｅｌ（登録商標）６００を意味する。Ｃｕは、金属銅を意味する。ＴｉＯ２は、チタンの酸化物、例えば二酸化チタン（チタニア）を意味する。
【表１】
2020126267.tif 000003
【０１６９】
表２及び表３に、表１の試料についての３ｍｍ基準ＩＧＵ値を示す。Ｔ（Ｖ）は、可視光透過率（パーセント）を意味する。ＲＥ（Ｖ）は、可視光線の外側反射率（パーセント）を意味する。ＲＩ（Ｖ）は、可視光線の内側反射率（パーセント）を意味する。Ｔ（Ｓ）は、太陽光線透過率（パーセント）を意味する。ＲＥ（Ｓ）は、太陽光線の外側反射率（パーセント）を意味する。ＲＩ（Ｓ）は、太陽光線の内側反射率（パーセント）を意味する。ＵＶ（Ｔ）は、紫外線透過率（パーセント）を意味する。ＵＦ（Ｗ）は、冬／夜のＵ値（Ｗ／ｍ２−Ｋ）を意味する。ＵＦ（Ｓ）は、夏／日中のＵ値（Ｗ／ｍ２−Ｋ）を意味する。ＳＣは、遮蔽係数（ｓｈａｄｉｎｇ  ｃｏｅｆｆｉｃｉｅｎｔ）を意味する。Ｌ＊（Ｔ）、ａ＊（Ｔ）、及びｂ＊（Ｔ）は、透過したＬ＊、ａ＊、ｂ＊を意味する。
Ｌ＊（ＲＥ）、ａ＊（ＲＥ）、及びｂ＊（ＲＥ）は、反射した外側Ｌ＊、ａ＊、ｂ＊を意味する。
【表２】
2020126267.tif 000004
【表３】
2020126267.tif 000005
【０１７０】
表２及び表３の値は、ＮＦＲＣ標準のデフォルト設定を用い、ＯＰＴＩＣＳ  ｖ６．０及びＷＩＮＤＯＷ  ｖ７．３．４．０ソフトウェアを使用して（ガラスの中心を）計算した。色パラメータＬ＊、ａ＊、ｂ＊は、光源Ｄ６５、１０°オブザーバの値である。
【０１７１】
本発明は、以下の番号を付した項目でさらに説明することができる。
【０１７２】
第１項：  太陽光制御コーティング３０であって、複数の位相調整層４０、５０、６２、８６；及び複数の金属機能層４６、５８、７０を備え、少なくとも１つの金属機能層４６、５８、７０が、（ｉ）少なくとも１つの赤外線反射フィルムと、（ｉｉ）少なくとも１つの吸収フィルムと、を含む金属機能マルチフィルム層を含む、上記太陽光制御コーティング３０。
【０１７３】
第２項：  第１項に記載の太陽光制御コーティング３０であって、赤外線反射フィルムを含む第１金属機能層４６；赤外線反射フィルム５７を含む第２金属機能層５８；及び（ｉ）少なくとも１つの赤外線反射フィルム７３と、（ｉｉ）銅を含む少なくとも１つの吸収フィルム７１と、を含む金属機能マルチフィルム層を含む第３金属機能層７０を備える、上記太陽光制御コーティング３０。
【０１７４】
第３項：  第２項に記載の太陽光制御コーティング３０であって、第１金属機能層４６が、連続金属フィルム、好ましくは銀、を含む、上記太陽光制御コーティング３０。
【０１７５】
第４項：  第２項又は第３項に記載の太陽光制御コーティング３０であって、第２金属機能層５８の赤外線反射フィルム５７が、連続金属フィルム、好ましくは銀、を含む、上記太陽光制御コーティング３０。
【０１７６】
第５項：  第２項〜第４項のいずれかに記載の太陽光制御コーティング３０であって、第２金属機能層５８が、（ｉ）赤外線反射フィルム５７と、（ｉｉ）好ましくはニッケル及びクロムの合金を含む少なくとも１つの吸収フィルム５９と、を含む金属機能マルチフィルム層を含む、上記太陽光制御コーティング３０。
【０１７７】
第６項：  第５項に記載の太陽光制御コーティング３０であって、第２金属機能層５８の吸収フィルム５９が、第２金属機能層５８の赤外線反射フィルム５７の上に位置する、上記太陽光制御コーティング３０。
【０１７８】
第７項：  第２項〜第６項のいずれかに記載の太陽光制御コーティング３０であって、第３金属機能層７０の少なくとも１つの赤外線反射フィルム７３が、連続金属フィルム、好ましくは銀、を含む、上記太陽光制御コーティング３０。
【０１７９】
第８項：  第２項〜第７項のいずれかに記載の太陽光制御コーティング３０であって、第３金属機能層７０の少なくとも１つの赤外線反射フィルム７３が、第３金属機能層７０の少なくとも１つの吸収フィルム７１の上に位置する、上記太陽光制御コーティング３０。
【０１８０】
第９項：  第２項〜第８項のいずれかに記載の太陽光制御コーティング３０であって、４０ｎｍから１００ｎｍの範囲の光学的厚さを有する第１位相調整層４０であり、第１金属機能層４６が第１位相調整層４０上に位置する、第１位相調整層４０；８０ｎｍから２００ｎｍの範囲の光学的厚さを有する第２位相調整層５０であり、第２金属機能層５８が第２位相調整層５０上に位置する、第２位相調整層５０；９０ｎｍから２００ｎｍの範囲の光学的厚さを有する第３位相調整層６２であり、第３金属機能層７０が第３位相調整層６２上に位置する、第３位相調整層６２；３０ｎｍから１００ｎｍの範囲の光学的厚さを有し、第３金属機能層７０上に位置する、第４位相調整層８６；及び、１ｎｍから３０ｎｍの範囲の光学的厚さを有し、第４位相調整層８６上に位置する、保護層９２；を備える、上記太陽光制御コーティング３０。
【０１８１】
第１０項：  第１項に記載の太陽光制御コーティング３０であって、４０ｎｍから１００ｎｍの範囲の光学的厚さ、好ましくは５０ｎｍから９０ｎｍの範囲の光学的厚さ、より好ましくは７０ｎｍから８０ｎｍの範囲の光学的厚さを有する、第１位相調整層４０；第１位相調整層４０上に位置する第１金属機能層４６であり、連続金属フィルム、好ましくは銀、を含む、第１金属機能層４６；第１金属機能層４６上に位置する第１プライマー層４８；任意の第１プライマー層４８上に位置する第２位相調整層５０であり、８０ｎｍから２００ｎｍの範囲の光学的厚さ、好ましくは１００ｎｍから１６０ｎｍの範囲の光学的厚さ、より好ましくは１３０ｎｍから１４０ｎｍの範囲の光学的厚さを有する、第２位相調整層５０；第２位相調整層５０上に位置する第２金属機能層５８であり、（ｉ）赤外線反射フィルム５７と、（ｉｉ）少なくともニッケル及びクロムの合金を含む少なくとも１つの吸収フィルム５９と、を含む金属機能マルチフィルム層を含む、第２金属機能層５８；第２金属機能層５８上に位置する第２プライマー層６０；任意の第２プライマー層６０上に位置する第３位相調整層６２であり、９０ｎｍから２００ｎｍの範囲の光学的厚さ、好ましくは１２０ｎｍから１８０ｎｍの範囲の光学的厚さ、より好ましくは１５０ｎｍから１７０ｎｍの範囲の光学的厚さを有する、第３位相調整層６２；第３位相調整層６２上に位置する第３金属機能層７０であり、（ｉ）少なくとも１つの赤外線反射フィルム７３と、（ｉｉ）銅を含む少なくとも１つの吸収フィルム７１と、を含む金属機能マルチフィルム層を含む、第３金属機能層７０；第３金属機能層７０上に位置する第３プライマー層７２；任意の第３プライマー層７２上に位置する第４位相調整層８６であり、３０ｎｍから１００ｎｍの範囲の光学的厚さ、好ましくは４０ｎｍから８０ｎｍの範囲の光学的厚さ、より好ましくは５０ｎｍから７０ｎｍの範囲の光学的厚さを有する、第４位相調整層８６；及び、第４位相調整層８６上に位置する保護層９２であり、１ｎｍから３０ｎｍの範囲の光学的厚さ、好ましくは２ｎｍから２０ｎｍの範囲の光学的厚さ、より好ましくは４ｎｍから１４ｎｍの範囲の光学的厚さを有する、保護層９２；を備える、上記太陽光制御コーティング３０。
【０１８２】
第１１項：  第１項に記載の太陽光制御コーティング３０であって、第１位相調整層４０；第１位相調整層４０上に位置する第１金属機能層４６；任意に、第１金属機能層４６上に位置する第１プライマー層４８；任意の第１プライマー層４８上に位置する第２位相調整層５０；第２位相調整層５０上に位置する第２金属機能層５８；任意に、第２金属機能層５８上に位置する第２プライマー層６０；任意の第２プライマー層６０上に位置する第３位相調整層６２；第３位相調整層６２上に位置する第３金属機能層７０；任意に、第３金属機能層７０上に位置する第３プライマー層７２；任意の第３プライマー層７２上に位置する第４位相調整層８６；及び、任意に、第４位相調整層８６上に位置する保護層９２；を備え、金属機能層４６、５８、７０の少なくとも１つが、（ｉ）少なくとも１つの赤外線反射フィルムと、（ｉｉ）少なくとも１つの吸収フィルムと、を含む金属機能マルチフィルム層を含む、上記太陽光制御コーティング３０。
【０１８３】
第１２項：  第１１項に記載の太陽光制御コーティング３０であって、位相調整層４０、５０、６２、８６が、誘電材料又は半導体材料を含む、上記太陽光制御コーティング３０。
【０１８４】
第１３項：  第１１項又は第１２項に記載の太陽光制御コーティング３０であって、位相調整層４０、５０、６２、８６が、酸化物、窒化物、酸窒化物、ホウ化物、炭化物、オキシ炭化物、ホウ炭化物、ホウ窒化物、炭窒化物、及び／又はそれらの混合物、組合せ、ブレンド、合金を含む、上記太陽光制御コーティング３０。
【０１８５】
第１４項：  第１１項〜第１３項のいずれかに記載の太陽光制御コーティング３０であって、位相調整層４０、５０、６２、８６が、チタン、ハフニウム、ジルコニウム、ニオブ、亜鉛、ビスマス、鉛、インジウム、スズ、シリコン、アルミニウム、ホウ素の酸化物、窒化物又は酸窒化物、及びそれらの混合物、組合せ、ブレンド、合金を含む、上記太陽光制御コーティング３０。
【０１８６】
第１５項：  第１１項〜第１４項のいずれかに記載の太陽光制御コーティング３０であって、第１位相調整層４０が、亜鉛及び／又はスズの酸化物を含む、上記太陽光制御コーティング３０。
【０１８７】
第１６項：  第１１項〜第１５項のいずれかに記載の太陽光制御コーティング３０であって、第１位相調整層４０が、４０ｎｍから１００ｎｍの範囲の光学的厚さ、好ましくは５０ｎｍから９０ｎｍの範囲の光学的厚さ、より好ましくは７０ｎｍから８０ｎｍの範囲の光学的厚さを有する、上記太陽光制御コーティング３０。
【０１８８】
第１７項：  第１１項〜第１６項のいずれかに記載の太陽光制御コーティング３０であって、第１位相調整層４０が、２０ｎｍから５０ｎｍの範囲の幾何学的厚さ、好ましくは２５ｎｍから４５ｎｍの範囲の幾何学的厚さ、より好ましくは３５ｎｍから４０ｎｍの範囲の幾何学的厚さを有する、上記太陽光制御コーティング３０。
【０１８９】
第１８項：  第１１項〜第１７項のいずれかに記載の太陽光制御コーティング３０であって、第１位相調整層４０が、第１フィルム４２及び第２フィルム４４を含む、上記太陽光制御コーティング３０。
【０１９０】
第１９項：  第１８項に記載の太陽光制御コーティング３０であって、第１フィルム４２が、金属合金の酸化物、好ましくはスズ酸亜鉛を含む、上記太陽光制御コーティング３０。
【０１９１】
第２０項：  第１８項又は第１９項に記載の太陽光制御コーティング３０であって、第２フィルム４４が、金属酸化物又はドープされた金属酸化物、好ましくはドープされた酸化亜鉛、より好ましくはスズでドープされた酸化亜鉛を含む、上記太陽光制御コーティング３０。
【０１９２】
第２１項：  第１８項〜第２０項のいずれかに記載の太陽光制御コーティング３０であって、第１フィルム４２が、３０ｎｍから７０ｎｍの範囲の光学的厚さ、好ましくは４０ｎｍから６０ｎｍの範囲の光学的厚さ、より好ましくは４４ｎｍから５４ｎｍの範囲の光学的厚さを有する、上記太陽光制御コーティング３０。
【０１９３】
第２２項：  第１８項〜第２１項のいずれかに記載の太陽光制御コーティング３０であって、第１フィルム４２が、１５ｎｍから３５ｎｍの範囲の幾何学的厚さ、好ましくは２０ｎｍから３０ｎｍの範囲の幾何学的厚さ、より好ましくは２２ｎｍから２７ｎｍの範囲の幾何学的厚さを有する、上記太陽光制御コーティング３０。
【０１９４】
第２３項：  第１８項〜第２２項のいずれかに記載の太陽光制御コーティング３０であって、第２フィルム４４が、１０ｎｍから４０ｎｍの範囲の光学的厚さ、好ましくは１６ｎｍから３８ｎｍの範囲の光学的厚さ、より好ましくは２０ｎｍから３０ｎｍの範囲の光学的厚さを有する、上記太陽光制御コーティング３０。
【０１９５】
第２４項：  第１８項〜第２３項のいずれかに記載の太陽光制御コーティング３０であって、第２フィルム４４が、５ｎｍから２０ｎｍの範囲の幾何学的厚さ、好ましくは８ｎｍから１８ｎｍの範囲の幾何学的厚さ、より好ましくは１０ｎｍから１５ｎｍの範囲の幾何学的厚さを有する、上記太陽光制御コーティング３０。
【０１９６】
第２５項：  第１１項〜第２４項のいずれかに記載の太陽光制御コーティング３０であって、少なくとも１つの赤外線反射層５７、７３が、連続金属フィルムを含む、上記太陽光制御コーティング３０。
【０１９７】
第２６項：  第１１項〜第２５項のいずれかに記載の太陽光制御コーティング３０であって、少なくとも１つの赤外線反射フィルム５７、７３が、銀、金、白金、パラジウム、オスミウム、イリジウム、ロジウム、ルテニウム、銅、水銀、レニウム、アルミニウム、及びそれらの組合せ、混合物、ブレンド、又は合金の少なくとも１つ、好ましくは銀を含む、上記太陽光制御コーティング３０。
【０１９８】
第２７項：  第１１項〜第２６項のいずれかに記載の太陽光制御コーティング３０であって、少なくとも１つの吸収フィルム５９、７１が、金、銀、銅、ニッケル、パラジウム、白金、タングステン、ロジウム、イリジウム、タンタル、鉄、スズ、アルミニウム、鉛、亜鉛、クロム、モリブデン、ニオブ、コバルト、マンガン、チタン、シリコン、クロム、及びそれらの混合物、組合せ、ブレンド、又は合金の少なくとも１つを含む、上記太陽光制御コーティング３０。
【０１９９】
第２８項：  第１１項〜第２７項のいずれかに記載の太陽光制御コーティング３０であって、第一金属機能層４６が、５ｎｍから２５ｎｍの範囲の幾何学的厚さ、好ましくは７ｎｍから２０ｎｍの範囲の幾何学的厚さ、より好ましくは１０ｎｍから１５ｎｍの範囲の幾何学的厚さを有する単一フィルムを含む、上記太陽光制御コーティング３０。
【０２００】
第２９項：  第１１項〜第２８項のいずれかに記載の太陽光制御コーティング３０であって、任意のプライマー層４８、６０、７２が、チタン、ニオブ、タングステン、ニッケル、クロム、鉄、タンタル、ジルコニウム、アルミニウム、シリコン、インジウム、スズ、亜鉛、モリブデン、ハフニウム、ビスマス、バナジウム、マンガン、及びそれらの混合物、組合せ、ブレンド、又は合金からなる群から選択される材料を含み、好ましくはチタンを含む、上記太陽光制御コーティング３０。
【０２０１】
第３０項：  第１１項〜第２９項のいずれかに記載の太陽光制御コーティング３０であって、任意の第１プライマー層４８が、０．５ｎｍから１０ｎｍの範囲、好ましくは１ｎｍから５ｎｍの範囲、より好ましくは、１．５ｎｍから２．５ｎｍの範囲の幾何学的厚さ又は有効厚さを有する、上記太陽光制御コーティング３０。
【０２０２】
第３１項：  第１１項〜第３０項のいずれかに記載の太陽光制御コーティング３０であって、第２位相調整層５０が、８０ｎｍから２００ｎｍの範囲の光学的厚さ、好ましくは１００ｎｍから１６０ｎｍの範囲の光学的厚さ、より好ましくは１３０ｎｍから１４０ｎｍの範囲の光学的厚さを有する、上記太陽光制御コーティング３０。
【０２０３】
第３２項：  第１１項〜第３１項のいずれかに記載の太陽光制御コーティング３０であって、第２位相調整層５０が、４０ｎｍから１００ｎｍの範囲の幾何学的厚さ、好ましくは５０ｎｍから８０ｎｍの範囲の幾何学的厚さ、より好ましくは６５ｎｍから７０ｎｍの範囲の幾何学的厚さを有する、上記太陽光制御コーティング３０。
【０２０４】
第３３項：  第１１項〜第３２項のいずれかに記載の太陽光制御コーティング３０であって、第２位相調整層５０が、第１フィルム５２、第２フィルム５４、及び第３フィルム５６を含む、上記太陽光制御コーティング３０。
【０２０５】
第３４項：  第３３項に記載の太陽光制御コーティング３０であって、第１フィルム５２及び／又は第３フィルム５６が、金属酸化物又はドープされた金属酸化物、好ましくは酸化亜鉛又はドープされた酸化亜鉛、より好ましくはスズでドープされた酸化亜鉛を含む、上記太陽光制御コーティング３０。
【０２０６】
第３５項：  第３３項又は第３４項に記載の太陽光制御コーティング３０であって、第２フィルム５４が、金属合金の酸化物、好ましくはスズ酸亜鉛を含む、上記太陽光制御コーティング３０。
【０２０７】
第３６項：  第３３項〜第３５項のいずれかに記載の太陽光制御コーティング３０であって、第１フィルム５２及び／又は第３フィルム５６が、１０ｎｍから４０ｎｍの範囲の光学的厚さ、好ましくは１６ｎｍから３８ｎｍの範囲の光学的厚さ、より好ましくは２０ｎｍから３５ｎｍの範囲の光学的厚さを有する、上記太陽光制御コーティング３０。
【０２０８】
第３７項：  第３３項〜第３６項のいずれかに記載の太陽光制御コーティング３０であって、第１フィルム５２及び／又は第３フィルム５６が、５ｎｍから２０ｎｍの範囲の幾何学的厚さ、好ましくは８ｎｍから１８ｎｍの範囲の幾何学的厚さ、より好ましくは１０ｎｍから１６ｎｍの範囲の幾何学的厚さを有する、上記太陽光制御コーティング３０。
【０２０９】
第３８項：  第３３項〜第３７項のいずれかに記載の太陽光制御コーティング３０であって、第２フィルム５４が、５０ｎｍから１００ｎｍの範囲の光学的厚さ、好ましくは７０ｎｍから９０ｎｍの範囲の光学的厚さ、より好ましくは７６ｎｍから８０ｎｍの範囲の光学的厚さを有する、上記太陽光制御コーティング３０。
【０２１０】
第３９項：  第３３項〜第３８項のいずれかに記載の太陽光制御コーティング３０であって、第２フィルム５４が、２５ｎｍから５０ｎｍの範囲の幾何学的厚さ、好ましくは３５ｎｍから４５ｎｍの範囲の幾何学的厚さ、より好ましくは３８ｎｍから４２ｎｍの範囲の幾何学的厚さを有する、上記太陽光制御コーティング３０。
【０２１１】
第４０項：  第１１項〜第３９項のいずれかに記載の太陽光制御コーティング３０であって、第２金属機能層５８が、赤外線反射フィルム５７、好ましくは銀と、吸収フィルム５９とを含む金属機能マルチフィルム層を含む、上記太陽光制御コーティング３０。
【０２１２】
第４１項：  第４０項に記載の太陽光制御コーティング３０であって、赤外線反射フィルム５７が、５ｎｍから２５ｎｍの範囲の幾何学的厚さ、好ましくは７ｎｍから２０ｎｍの範囲の幾何学的厚さ、より好ましくは１０ｎｍから１８ｎｍの範囲の幾何学的厚さを有する、上記太陽光制御コーティング３０。
【０２１３】
第４２項：  第４０項又は第４１項に記載の太陽光制御コーティング３０であって、吸収フィルム５９が、ニッケルを含む合金、クロムを含む合金、又はニッケル及びクロムを含む合金を含む、上記太陽光制御コーティング３０。
【０２１４】
第４３項：  第４０項〜第４２項のいずれかに記載の太陽光制御コーティング３０であって、吸収フィルム５９が、０ｎｍから２ｎｍの範囲の幾何学的厚さ、好ましくは０．１ｎｍから１．５ｎｍの範囲の幾何学的厚さ、より好ましくは０．２５ｎｍから１ｎｍの範囲の幾何学的厚さを有する、上記太陽光制御コーティング３０。
【０２１５】
第４４項：  第１１項〜第４３項のいずれかに記載の太陽光制御コーティング３０であって、任意の第２プライマー層６０が、０．５ｎｍから１０ｎｍの範囲の幾何学的厚さ又は有効厚さ、好ましくは１ｎｍから５ｎｍの範囲の幾何学的厚さ、より好ましくは１．５ｎｍから２．５ｎｍの範囲の幾何学的厚さを有する、上記太陽光制御コーティング３０。
【０２１６】
第４５項：  第１１項〜第４４項のいずれかに記載の太陽光制御コーティング３０であって、第３位相調整層６２が、９０ｎｍから２００ｎｍの範囲の光学的厚さ、好ましくは１２０ｎｍから１８０ｎｍの範囲の光学的厚さ、より好ましくは１５０ｎｍから１７０ｎｍの範囲の光学的厚さを有する、上記太陽光制御コーティング３０。
【０２１７】
第４６項：  第１１項〜第４５項のいずれかに記載の太陽光制御コーティング３０であって、第３位相調整層６２が、４５ｎｍから１００ｎｍの範囲の幾何学的厚さ、好ましくは６０ｎｍから９０ｎｍの範囲の幾何学的厚さ、より好ましくは７５ｎｍから８５ｎｍの範囲の幾何学的厚さを有する、上記太陽光制御コーティング３０。
【０２１８】
第４７項：  第１１項〜第４６項のいずれかに記載の太陽光制御コーティング３０であって、第３位相調整層６２が、第１フィルム６４、第２フィルム６６、及び第３フィルム６８を含む、上記太陽光制御コーティング３０。
【０２１９】
第４８項：  第４７項に記載の太陽光制御コーティング３０であって、第１フィルム６４及び／又は第３フィルム６８が、金属酸化物又はドープされた金属酸化物、好ましくは酸化亜鉛又はドープされた酸化亜鉛、より好ましくはスズでドープされた酸化亜鉛を含む、上記太陽光制御コーティング３０。
【０２２０】
第４９項：  第４７項又は第４８項に記載の太陽光制御コーティング３０であって、第２フィルム６６が、金属合金の酸化物、好ましくはスズ酸亜鉛を含む、上記太陽光制御コーティング３０。
【０２２１】
第５０項：  第４７項〜第４９項のいずれかに記載の太陽光制御コーティング３０であって、第１フィルム６４及び／又は第３フィルム６８が、１０ｎｍから４０ｎｍの範囲の光学的厚さ、好ましくは１６ｎｍから３８ｎｍの範囲の光学的厚さ、より好ましくは２０ｎｍから３０ｎｍの範囲の光学的厚さを有する、上記太陽光制御コーティング３０。
【０２２２】
第５１項：  第４７項〜第５０項のいずれかに記載の太陽光制御コーティング３０であって、第１フィルム６４及び／又は第３フィルム６８が、５ｎｍから２０ｎｍの範囲の幾何学的厚さ、好ましくは８ｎｍから１８ｎｍの範囲の幾何学的厚さ、より好ましくは１０ｎｍから１５ｎｍの範囲の幾何学的厚さを有する、上記太陽光制御コーティング３０。
【０２２３】
第５０項：  第４７項〜第４９項のいずれかに記載の太陽光制御コーティング３０であって、第２フィルム６６が、７０ｎｍから１４０ｎｍの範囲の光学的厚さ、好ましくは８０ｎｍから１２０ｎｍの範囲の光学的厚さ、より好ましくは９０ｎｍから１１０ｎｍの範囲の光学的厚さを有する、上記太陽光制御コーティング３０。
【０２２４】
第５１項：  第４７項〜第５０項のいずれかに記載の太陽光制御コーティング３０であって、第２フィルム６６が、３５ｎｍから７０ｎｍの範囲の幾何学的厚さ、好ましくは４０ｎｍから６０ｎｍの範囲の幾何学的厚さ、より好ましくは４５ｎｍから５５ｎｍの範囲の幾何学的厚さを有する、上記太陽光制御コーティング３０。
【０２２５】
第５２項：  第１１項〜第５１項のいずれかに記載の太陽光制御コーティング３０であって、第３金属機能層７０が、吸収フィルム７１と赤外線反射フィルム７３とを含む、上記太陽光制御コーティング３０。
【０２２６】
第５３項：  第５２項に記載の太陽光制御コーティング３０であって、赤外線反射フィルム７３が、金属銀フィルムを含む、上記太陽光制御コーティング３０。
【０２２７】
第５４項：  第５２項又は第５３項に記載の太陽光制御コーティング３０であって、赤外線反射フィルム７３が、５ｎｍから３０ｎｍの範囲の幾何学的厚さ、好ましくは１０ｎｍから２５ｎｍの範囲の幾何学的厚さ、より好ましくは１５ｎｍから２０ｎｍの範囲の幾何学的厚さを有する、上記太陽光制御コーティング３０。
【０２２８】
第５５項：  第５２項〜第５４項のいずれかに記載の太陽光制御コーティング３０であって、吸収フィルム７１が、金属材料、好ましくは銅を含む、上記太陽光制御コーティング３０。
【０２２９】
第５６項：  第５２項〜第５５項のいずれかに記載の太陽光制御コーティング３０であって、吸収フィルム７１が、１ｎｍから１０ｎｍの範囲、好ましくは２．５ｎｍから４．５ｎｍの範囲、より好ましくは３ｎｍから４ｎｍの範囲の物理的厚さ又は有効厚さを有する、上記太陽光制御コーティング３０。
【０２３０】
第５７項：  第１１項〜第５６項のいずれかに記載の太陽光制御コーティング３０であって、任意の第３プライマー層７２が、０．５ｎｍから１０ｎｍの範囲、好ましくは１ｎｍから５ｎｍの範囲、より好ましくは１．５ｎｍから２．５ｎｍの範囲の幾何学的厚さ又は有効厚さを有する、上記太陽光制御コーティング３０。
【０２３１】
第５８項：  第１１項〜第５７項のいずれかに記載の太陽光制御コーティング３０であって、第４位相調整層８６が、３０ｎｍから１００ｎｍの範囲の光学的厚さ、好ましくは４０ｎｍから８０ｎｍの範囲の光学的厚さ、より好ましくは５０ｎｍから７０ｎｍの範囲の光学的厚さを有する、上記太陽光制御コーティング３０。
【０２３２】
第５９項：  第１１項〜第５８項のいずれかに記載の太陽光制御コーティング３０であって、第４位相調整層８６が、１５ｎｍから５０ｎｍの範囲の幾何学的厚さ、好ましくは２０ｎｍから４０ｎｍの範囲の幾何学的厚さ、より好ましくは２５ｎｍから３５ｎｍの範囲の幾何学的厚さを有する、上記太陽光制御コーティング３０。
【０２３３】
第６０項：  第１１項〜第５９項のいずれかに記載の太陽光制御コーティング３０であって、第４位相調整層８６が、第１フィルム８８及び第２フィルム９０を含む、上記太陽光制御コーティング３０。
【０２３４】
第６１項：  第６０項に記載の太陽光制御コーティング３０であって、第１フィルム８８が、金属酸化物又はドープされた金属酸化物、好ましくは酸化亜鉛又はドープされた酸化亜鉛、より好ましくはスズでドープされた酸化亜鉛を含む、上記太陽光制御コーティング３０。
【０２３５】
第６２項：  第６０項又は第６１項に記載の太陽光制御コーティング３０であって、第２フィルム９０が、金属合金の酸化物、好ましくはスズ酸亜鉛を含む、上記太陽光制御コーティング３０。
【０２３６】
第６３項：  第６０項〜第６２項のいずれかに記載の太陽光制御コーティング３０であって、第１フィルム８８が、４ｎｍから４０ｎｍの範囲の光学的厚さ、好ましくは１０ｎｍから３０ｎｍの範囲の光学的厚さ、より好ましくは１４ｎｍから２２ｎｍの範囲の光学的厚さを有する、上記太陽光制御コーティング３０
【０２３７】
第６４項：  第６０項〜第６３項のいずれかに記載の太陽光制御コーティング３０であって、第１フィルム８８が、２ｎｍから２０ｎｍの範囲の幾何学的厚さ、好ましくは５ｎｍから１５ｎｍの範囲の幾何学的厚さ、より好ましくは７ｎｍから１１ｎｍの範囲の幾何学的厚さを有する、上記太陽光制御コーティング３０。
【０２３８】
第６５項：  第６０項〜第６４項のいずれかに記載の太陽光制御コーティング３０であって、第２フィルム９０が、１０ｎｍから８０ｎｍの範囲の光学的厚さ、好ましくは２０ｎｍから６０ｎｍの範囲の光学的厚さ、より好ましくは３０ｎｍから５０ｎｍの範囲の光学的厚さを有する、上記太陽光制御コーティング３０。
【０２３９】
第６６項：  第６０項〜第６５項のいずれかに記載の太陽光制御コーティング３０であって、第２フィルム９０が、５ｎｍから４０ｎｍの範囲の幾何学的厚さ、好ましくは１０ｎｍから３０ｎｍの範囲の幾何学的厚さ、より好ましくは１５ｎｍから２５ｎｍの範囲の幾何学的厚さを有する、上記太陽光制御コーティング３０。
【０２４０】
第６７項：  第１１項〜第６６項のいずれかに記載の太陽光制御コーティング３０であって、任意の保護層９２が、チタンの酸化物、例えば二酸化チタンを含む、上記太陽光制御コーティング３０。
【０２４１】
第６８項：  第１１項〜第６７項のいずれかに記載の太陽光制御コーティング３０であって、保護層９２が、１ｎｍから３０ｎｍの範囲の光学的厚さ、好ましくは２ｎｍから２０ｎｍの範囲の光学的厚さ、より好ましくは４ｎｍから１４ｎｍの範囲の光学的厚さを有する、上記太陽光制御コーティング３０。
【０２４２】
第６９項：  第１１項〜第６８項のいずれかに記載の太陽光制御コーティング３０であって、保護層９２が、０．５ｎｍから１５ｎｍの範囲の幾何学的厚さ、好ましくは１ｎｍから１０ｎｍの範囲の幾何学的厚さ、より好ましくは２ｎｍから７ｎｍの範囲の幾何学的厚さを有する、上記太陽光制御コーティング３０。
【０２４３】
第７０項：  第１項〜第６９項のいずれかに記載の太陽光制御コーティング３０であって、太陽光制御コーティング３０が、０．３以下、好ましくは０．２７以下、より好ましくは０．２５以下の３ｍｍ基準ＩＧＵ  ＳＨＧＣを提供する、上記太陽光制御コーティング３０。
【０２４４】
第７１項：  第１項〜第７０項のいずれかに記載の太陽光制御コーティング３０であって、太陽光制御コーティング３０が、０．２１から０．２５の範囲、好ましくは０．２２から０．２３５の範囲の３ｍｍ基準ＩＧＵ  ＳＨＧＣを提供する、上記太陽光制御コーティング３０。
【０２４５】
第７２項：  第１項〜第７１項のいずれかに記載の太陽光制御コーティング３０であって、太陽光制御コーティング３０が、４０％から６５％の範囲、好ましくは５０％から５５％の範囲、より好ましくは５１％から５４．５％の範囲の３ｍｍ基準ＩＧＵ可視光透過率を提供する、上記太陽光制御コーティング３０。
【０２４６】
第７３項：  第１項〜第７２項のいずれかに記載の太陽光制御コーティング３０であって、太陽光制御コーティング３０が、１０％から１５％の範囲、好ましくは１２％から１３．５％の範囲の３ｍｍ基準ＩＧＵ可視光外側反射率を提供する、上記太陽光制御コーティング３０。
【０２４７】
第７４項：  第１項〜第７３項のいずれかに記載の太陽光制御コーティング３０であって、太陽光制御コーティング３０が、１６％から２２％の範囲、好ましくは１８％から２０％の範囲の３ｍｍ基準ＩＧＵ可視光内側反射率を提供する、上記太陽光制御コーティング３０。
【０２４８】
第７５項：  第１項〜第７４項のいずれかに記載の太陽光制御コーティング３０であって、太陽光制御コーティング３０が、１．６から２．５の範囲、好ましくは２．１から２．４の範囲、より好ましくは２．２から２．３７の範囲の３ｍｍ基準ＩＧＵ  ＬＳＧ比を提供する、上記太陽光制御コーティング３０。
【０２４９】
第７６項：  第１項〜第７５項のいずれかに記載の太陽光制御コーティング３０であって、太陽光制御コーティング３０が、７４から８０の範囲、好ましくは７５から７９の範囲、より好ましくは７６．５から７８．５の範囲の３ｍｍ基準ＩＧＵ透過Ｌ＊を提供する、上記太陽光制御コーティング３０。
【０２５０】
第７７項：  第１項〜第７６項のいずれかに記載の太陽光制御コーティング３０であって、太陽光制御コーティング３０が、−６から−３の範囲、好ましくは−５．５から−４の範囲、より好ましくは−５．２から−４．２５の範囲の３ｍｍ基準ＩＧＵ透過ａ＊を提供する、上記太陽光制御コーティング３０。
【０２５１】
第７８項：  第１項〜第７７項のいずれかに記載の太陽光制御コーティング３０であって、太陽光制御コーティング３０が、０から６の範囲、好ましくは１から５の範囲、より好ましくは２．８から４．８の範囲の３ｍｍ基準ＩＧＵ透過ｂ＊を提供する、上記太陽光制御コーティング３０。
【０２５２】
第７９項：  第１項〜第７８項のいずれかに記載の太陽光制御コーティング３０であって、太陽光制御コーティング３０が、３０から５０の範囲、好ましくは３５から４９の範囲、より好ましくは４１．９から４３．２の範囲の３ｍｍ基準ＩＧＵ外側反射Ｌ＊を提供する、上記太陽光制御コーティング３０。
【０２５３】
（ｂｌａｎｋ）
【０２５４】
第８０項：  第１項〜第７９項のいずれかに記載の太陽光制御コーティング３０であって、太陽光制御コーティング３０が、−４から０の範囲、好ましくは−３から−１の範囲、より好ましくは−２．７から−１．８の範囲の３ｍｍ基準ＩＧＵ外側反射ａ＊を提供する、上記太陽光制御コーティング３０。
【０２５５】
第８１項：  第１項〜第８０項のいずれかに記載の太陽光制御コーティング３０であって、太陽光制御コーティング３０が、−７から０の範囲、好ましくは−６から−１の範囲、より好ましくは−５．６から−４．１の範囲の３ｍｍ基準ＩＧＵ外側反射ｂ＊を提供する、上記太陽光制御コーティング３０。
【０２５６】
第８２項：  第１項〜第８１項のいずれかに記載の太陽光制御コーティング３０であって、太陽光制御コーティング３０が、３５から５５の範囲、好ましくは４０から５２の範囲、より好ましくは４８から５２の範囲の３ｍｍ基準ＩＧＵ内側反射Ｌ＊を提供する、上記太陽光制御コーティング３０。
【０２５７】
第８３項：  第１項〜第８２項のいずれかに記載の太陽光制御コーティング３０であって、太陽光制御コーティング３０が、−８から０の範囲、好ましくは−６．２から−１の範囲、より好ましくは−５．９から−４．５の範囲の３ｍｍ基準ＩＧＵ内側反射ａ＊を提供する、上記太陽光制御コーティング３０。
【０２５８】
第８４項：  第１項〜第８３項のいずれかに記載の太陽光制御コーティング３０であって、太陽光制御コーティング３０が、−５から０の範囲、好ましくは−４から−１の範囲、より好ましくは−３．５から−２の範囲の３ｍｍ基準ＩＧＵ内側反射ｂ＊を提供する、上記太陽光制御コーティング３０。
【０２５９】
第８５項：  第１項〜第８４項のいずれかに記載の太陽光制御コーティング３０であって、太陽光制御コーティング３０が、１０オーム／スクエア（Ω／ｓｑ．）未満、好ましくは２Ω／ｓｑ．未満、より好ましくは１Ω／ｓｑ．未満のシート抵抗を提供する、上記太陽光制御コーティング３０。
【０２６０】
第８６項：  第１項〜第８５項のいずれかに記載の太陽光制御コーティング３０であって、太陽光制御コーティング３０が、０．０２から０．０４の範囲、好ましくは０．０２３から０．０３７の範囲の放射率を有する、上記太陽光制御コーティング３０。
【０２６１】
第８７項：  第１項〜第８６項のいずれかに記載の太陽光制御コーティング３０であって、太陽光制御コーティング３０が、０．９から３ワット／平方メートルケルビン（Ｗ／ｍ２−Ｋ）の範囲、好ましくは１から２．５Ｗ／ｍ２−Ｋの範囲、より好ましくは１．５から１．７Ｗ／ｍ２−Ｋの範囲の３ｍｍ基準ＩＧＵの冬のＵ値を提供する、上記太陽光制御コーティング３０。
【０２６２】
第８８項：  第１項〜第８７項のいずれかに記載の太陽光制御コーティング３０であって、太陽光制御コーティング３０が、１．４から１．６Ｗ／ｍ２−Ｋの範囲、好ましくは１．５２から１．５７Ｗ／ｍ２−Ｋの範囲の３ｍｍ基準ＩＧＵの夏のＵ値を提供する、上記太陽光制御コーティング３０。
【０２６３】
第８９項：  第１項〜第８８項のいずれかに記載の太陽光制御コーティング３０を含む、断熱ガラスユニット（ＩＧＵ）１００。
【０２６４】
第９０項：  第１項〜第８８項のいずれかに記載の太陽光制御コーティング３０を含む、積層ユニット１３０。
【０２６５】
第９１項：  基材と、第１項〜第８８項のいずれかに記載の太陽光制御コーティング３０とを含む、コーティングされた物品１０。
【０２６６】
上記の記載に開示された概念から逸脱することなく、本発明に対する変更がなされ得ることは、当業者によって容易に理解されるであろう。したがって、本明細書に詳細に記載された特定の実施形態は、単なる例示であって本発明の範囲を限定するものではなく、本発明の範囲は添付の特許請求の範囲並びにその任意の及び全ての等価物の全範囲を与えられるべきである。
【図１】
2020126267.tif 000006
【図２】
2020126267.tif 000007
【図３】
2020126267.tif 000008
【図４】
2020126267.tif 000009
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
第１位相調整層；
第１位相調整層上に位置する第１金属機能層；
第１金属機能層上に位置する第１プライマー層；
第１金属機能層上に位置する第２位相調整層；
第２位相調整層上に位置する第２金属機能層；
第２金属機能層上に位置する第２プライマー層；
第２金属機能層上に位置する第３位相調整層；
第３位相調整層上に位置する第３金属機能層；
第３金属機能層上に位置する第３プライマー層；及び
第３金属機能層上に位置する第４位相調整層；
を含む、太陽光制御コーティングであって、
第２金属機能層は、赤外線反射連続金属フィルムと、ニッケル及びクロムの合金を含む少なくとも１つの吸収フィルムとを含み、
第３金属機能層は、第３位相調整層上に位置する銅を含む少なくとも１つの吸収フィルムと、少なくとも１つの吸収フィルム上に位置する銀を含む少なくとも１つの赤外線反射フィルムとを含む、
上記太陽光制御コーティング。
【請求項２】
前記第１位相調整層が、スズ酸亜鉛を含む第１フィルムと、第１フィルム上に位置する酸化亜鉛を含む第２フィルムとを含み；
前記第２位相調整層が、酸化亜鉛を含む第１フィルムと、第１フィルム上に位置するスズ酸亜鉛を含む第２フィルムと、第２フィルム上に位置する酸化亜鉛を含む第３フィルムとを含み；
前記第３位相調整層が、酸化亜鉛を含む第１フィルムと、第１フィルム上に位置するスズ酸亜鉛を含む第２フィルムと、第２フィルム上に位置する酸化亜鉛を含む第３フィルムとを含み；
前記第４位相調整層が、酸化亜鉛を含む第１フィルムと、第１フィルム上に位置するスズ酸亜鉛を含む第２フィルムとを含む；
請求項１に記載の太陽光制御コーティング。
【請求項３】
前記第２金属機能層の赤外線反射連続金属フィルムが、銀を含み、
前記ニッケル及びクロムの合金を含む少なくとも１つの吸収フィルムが、赤外線反射連続金属フィルム上に位置する、
請求項１に記載の太陽光制御コーティング。
【請求項４】
前記第１金属機能層が、赤外線反射フィルムを含む、請求項１に記載の太陽光制御コーティング。
【請求項５】
前記第１金属機能層の赤外線反射フィルムが、銀を含む、請求項４に記載の太陽光制御コーティング。
【請求項６】
前記第２金属機能層の赤外線反射連続金属フィルムが、銀を含む、請求項１に記載の太陽光制御コーティング。
【請求項７】
前記第３金属機能層の少なくとも１つの赤外線反射フィルムが、銀を含む、請求項１に記載の太陽光制御コーティング。
【請求項８】
請求項１に記載の太陽光制御コーティングであって、
前記第１位相調整層が、４０ｎｍから１００ｎｍの範囲の光学的厚さを有し、
前記第２位相調整層が、８０ｎｍから２００ｎｍの範囲の光学的厚さを有し、
前記第３位相調整層が、９０ｎｍから２００ｎｍの範囲の光学的厚さを有し、
前記第４位相調整層が、３０ｎｍから１００ｎｍの範囲の光学的厚さを有し、
前記第４位相調整層上に位置する１ｎｍから３０ｎｍの範囲の光学的厚さを有する保護層をさらに含む、
上記太陽光制御コーティング。
【請求項９】
前記第１金属機能層が、銀を含む、請求項７に記載の太陽光制御コーティング。
【請求項１０】
前記太陽光制御コーティングが、０．３以下の、３ｍｍ基準断熱ガラスユニット（ＩＧＵ）太陽熱利得係数（ＳＨＧＣ）を提供する、請求項１に記載の太陽光制御コーティング。
【請求項１１】
前記太陽光制御コーティングが、１．８５より大きい、３ｍｍ基準断熱ガラスユニット（ＩＧＵ）光−太陽光制御（ＬＳＧ）比を提供する、請求項１に記載の太陽光制御コーティング。
【請求項１２】
前記銅を含む少なくとも１つの吸収フィルムが、２．５ｎｍより大きい有効厚さを有する、請求項１に記載の太陽光制御コーティング。
【請求項１３】
前記太陽光制御コーティングが、非熱処理太陽光制御コーティングである、請求項１に記載の太陽光制御コーティング。
【請求項１４】
基材と、該基材の少なくとも一部の上に位置する太陽光制御コーティングとを含む、コーティングされた物品であって、
該太陽光制御コーティングは、
第１位相調整層；
第１位相調整層上に位置する第１金属機能層；
第１金属機能層上に位置する第１プライマー層；
第１金属機能層上に位置する第２位相調整層；
第２位相調整層上に位置する第２金属機能層；
第２金属機能層上に位置する第２プライマー層；
第２金属機能層上に位置する第３位相調整層；
第３位相調整層上に位置する第３金属機能層；
第３金属機能層上に位置する第３プライマー層；及び
第３金属機能層上に位置する第４位相調整層；
を含み、
第２金属機能層は、赤外線反射連続金属フィルムと、ニッケル及びクロムの合金を含む少なくとも１つの吸収フィルムとを含み、
第３金属機能層は、第３位相調整層上に位置する銅を含む少なくとも１つの吸収フィルムと、該少なくとも１つの吸収フィルム上に位置する銀を含む少なくとも１つの赤外線反射フィルムとを含む、
上記コーティングされた物品。
【請求項１５】
前記第１金属機能層が、赤外線反射フィルムを含む、請求項１４に記載の太陽光制御コーティング。
【請求項１６】
前記第１金属機能層の赤外線反射フィルムが、銀を含む、請求項１５に記載の太陽光制御コーティング。
【請求項１７】
請求項１４に記載のコーティングされた物品であって、
前記第１位相調整層が、４０ｎｍから１００ｎｍの範囲の光学的厚さを有し、
前記第２位相調整層が、８０ｎｍから２００ｎｍの範囲の光学的厚さを有し、
前記第３位相調整層が、９０ｎｍから２００ｎｍの範囲の光学的厚さを有し、
前記第４位相調整層が、３０ｎｍから１００ｎｍの範囲の光学的厚さを有し第３金属機能層上に位置し、
前記第４位相調整層上に位置する１ｎｍから３０ｎｍの範囲の光学的厚さを有する保護層をさらに含む、
上記コーティングされた物品。
【請求項１８】
前記第１金属機能層が、銀を含む、請求項１７に記載の太陽光制御コーティング。
【請求項１９】
前記第３金属機能層の少なくとも１つの赤外線反射フィルムが、銀を含む、請求項１４に記載の太陽光制御コーティング。
【請求項２０】
前記第２金属機能層の赤外線反射連続金属フィルムが、銀を含み、
前記ニッケル及びクロムの合金を含む少なくとも１つの吸収フィルムが、赤外線反射連続金属フィルム上に位置する、
請求項１４に記載の太陽光制御コーティング。
【外国語明細書】
2020126267000001.pdf